(57)【要約】【課題】例えばテレビ放送番組などのコンテンツ信号を利用する場合において、コンテンツの本編部分とそれ以外の部分とで生じる音量差を自動的に調整する。【解決手段】コンテンツ信号の記録媒体２１への記録時において、シーン区間処理部１７において、コンテンツ信号の変化点を検出し、変化点で挟まれた区間を特定し、特定した各区間の種別を判別する。これら検出した、あるいは、特定した情報を区間情報保持部５３に記録し保持する。再生時において、記録媒体２１から読み出されたコンテンツ信号の再生箇所を再生箇所判定部３１により判定し、音量利得判定部３２によって、区間情報保持部５２の情報が参照され、再生箇所が属する区間の種別に基づいて、再生対象の音声信号の利得を判定し、音声処理部において再生対象の音声信号の利得を調整する。【選択図】図１
2007053510.tif 000002
【特許請求の範囲】
【請求項１】
音量の異なる区間を有する音声信号を含むコンテンツ信号を記録媒体に記録する処理を行う記録系と、前記記録媒体に記録した前記コンテンツ信号を再生して利用できるようにする再生系とからなる記録再生装置であって、
前記記録系は、
記録対象の前記コンテンツ信号の変化点を検出する変化点検出手段と、
前記変化点検出手段によって検出される変化点によって挟まれた区間を特定する区間特定手段と、
前記区間特定手段によって特定された区間毎に、区間の種別を判別する種別判別手段と、
前記区間特定手段によって特定された区間を示す情報と、前記種別判別手段によって判別された前記区間の種別を示す情報とを関連付けて記憶保持する区間情報保持手段と
を備え、
前記再生系は、
前記記録媒体から再生対象のコンテンツ信号を読み出す読み出し手段と、
前記読み出し手段によって読み出された再生対象の前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする記録再生装置。
【請求項２】
請求項１に記載の記録再生装置であって、
前記記録系は、前記区間特定手段によって特定された区間毎に、前記音声信号についての音量の代表値を生成する代表値生成手段を備え、
前記記録系の前記区間情報保持手段は、前記区間特定手段によって特定された区間を示す情報と、前記種別判別手段によって判別された前記区間の種別を示す情報と、前記代表値生成手段によって生成された前記音量の代表値とを関連付けて記憶保持するものであり、
前記再生系の前記利得判定手段は、前記判定手段によって判定された再生箇所に基づいて、前記代表値保持手段に保持されている情報を参照し、各区間の前記音量の代表値を示す情報をも考慮して再生対象の音声信号の利得を判定する
ことを特徴とする記録再生装置。
【請求項３】
音声信号を含むコンテンツ信号を記録媒体に記録する処理を行う記録系と、前記記録媒体に記録した前記コンテンツ信号を再生して利用できるようにする再生系とからなる記録再生装置であって、
前記記録系は、
記録時において、無信号区間と所定パターンの信号が連続する所定パターン区間との一方または両方を検出する検出手段と、
前記検出手段によって検出された無信号区間あるいは所定パターン区間を示す情報と、それらの区間の種別を示す情報とを関連付けて記憶保持する区間情報保持手段と
を備え、
前記再生系は、
前記記録媒体から再生対象のコンテンツ信号を読み出す読み出し手段と、
前記読み出し手段によって読み出された再生対象の前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする記録再生装置。
【請求項４】
音声信号を含むコンテンツ信号の供給を受けて、当該コンテンツ信号をバッファメモリに書き込み、当該バッファメモリに書き込まれた前記コンテンツ信号を読み出して再生する再生装置であって、
再生対象のコンテンツ信号を前記バッファメモリに書き込む書き込み手段と、
前記バッファメモリに書き込まれる前記コンテンツ信号の供給を受けて、前記コンテンツ信号の変化点を検出する変化点検出手段と、
前記変化点検出手段によって検出される変化点によって挟まれた区間を特定する区間特定手段と、
前記区間特定手段によって特定された区間毎に、区間の種別を判別する種別判別手段と、
前記区間特定手段によって特定された区間を示す情報と、前記種別判別手段によって判別された前記区間の種別を示す情報とを関連付けて記憶保持する区間情報保持手段と、
前記バッファメモリに書き込まれた前記コンテンツデータを読み出す読み出し手段と、
前記読み出し手段によって読み出された前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする再生装置。
【請求項５】
請求項４に記載の記録再生装置であって、
前記区間特定手段によって特定された区間毎に、前記音声信号についての音量の代表値を生成する代表値生成手段を備え、
前記区間情報保持手段は、前記区間特定手段によって特定された区間を示す情報と、前記種別判別手段によって判別された前記区間の種別を示す情報と、前記代表値生成手段によって生成された前記音量の代表値とを関連付けて記憶保持するものであり、
前記利得判定手段は、前記判定手段によって判定された再生箇所に基づいて、前記代表値保持手段に保持されている情報を参照し、各区間の前記音量の代表値を示す情報をも考慮して再生対象の音声信号の利得を判定する
ことを特徴とする記録再生装置。
【請求項６】
音声信号を含むコンテンツ信号の供給を受けて、当該コンテンツ信号をバッファメモリに書き込み、当該バッファメモリに書き込まれた前記コンテンツ信号を読み出して再生する再生装置であって、
コンテンツ信号の前記バッファメモリへの記録時において、無信号区間と所定パターンの信号が連続する所定パターン区間との一方または両方を検出する検出手段と、
前記検出手段によって検出された無信号区間あるいは所定パターン区間を示す情報と、それらの区間の種別を示す情報とを関連付けて記憶保持する区間情報保持手段と、
前記記録媒体から再生対象のコンテンツ信号を読み出す読み出し手段と、
前記読み出し手段によって読み出された再生対象の前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする再生装置。
【請求項７】
音量の異なる区間を有する音声信号を含むコンテンツ信号を記録媒体に記録する処理を行う記録系と、前記記録媒体に記録した前記コンテンツ信号を再生して利用できるようにする再生系とからなる記録再生装置においての音量自動調整方法であって、
記録処理時において、
記録対象の前記コンテンツ信号の変化点を検出する変化点検出工程と、
前記変化点検出工程において検出する変化点によって挟まれた区間を特定する区間特定工程と、
前記区間特定工程において特定した区間毎に、区間の種別を判別する種別判別工程と、
前記区間特定工程において特定した区間を示す情報と、前記種別判別工程において判別した前記区間の種別を示す情報とを関連付けて区間情報保持手段に記録する区間情報保持工程と
を実行し、
再生処理時において、
前記記録媒体から再生対象のコンテンツ信号を読み出す読み出し工程と、
前記読み出し工程において読み出した再生対象の前記コンテンツ信号についての再生箇所を判定する判定工程と、
前記判定工程において判定した再生箇所に基づいて、前記区間情報保持手段に保持されている情報を参照し、当該再生箇所を含む区間の種別に基づいて、再生対象の音声信号の利得を判定する利得判定工程と、
前記利得判定工程において判定した利得に従って、再生対象の音声信号の利得を調整する調整工程と
を実行することを特徴とする音量自動調整方法。
【請求項８】
請求項７に記載の音量自動調整方法であって、
前記記録処理時において、前記区間特定工程において特定した区間毎に、前記音声信号についての音量の代表値を生成する代表値生成工程を実行し、
記録処理時に実行する前記区間情報保持工程においては、前記区間特定工程において特定した区間を示す情報と、前記種別判別工程において判別した前記区間の種別を示す情報と、前記代表値生成工程において生成した前記音量の代表値とを関連付けて記憶保持するようにし、
再生処理時に実行する前記利得判定工程においては、前記判定工程において判定した再生箇所に基づいて、前記代表値保持手段に保持されている情報を参照し、各区間の前記音量の代表値を示す情報をも考慮して再生対象の音声信号の利得を判定する
ことを特徴とする音量自動調整方法。
【請求項９】
音声信号を含むコンテンツ信号を記録媒体に記録する処理を行う記録系と、前記記録媒体に記録した前記コンテンツ信号を再生して利用できるようにする再生系とからなる記録再生装置においての音量自動調整方法であって、
記録処理時において、
無信号区間と所定パターンの信号が連続する所定パターン区間との一方または両方を検出する検出工程と、
前記検出工程において検出した無信号区間あるいは所定パターン区間を示す情報と、それらの区間の種別を示す情報とを関連付けて記憶保持する区間情報保持工程と
を実行し、
再生処理時において、
前記記録媒体から再生対象のコンテンツ信号を読み出す読み出し工程と、
前記読み出し工程において読み出した再生対象の前記コンテンツ信号についての再生箇所を判定する判定工程と、
前記判定工程において判定した再生箇所に基づいて、前記区間情報保持手段に保持されている情報を参照し、当該再生箇所を含む区間の種別に基づいて、再生対象の音声信号の利得を判定する利得判定工程と、
前記利得判定工程において判定した利得に従って、再生対象の音声信号の利得を調整する調整工程と
を実行することを特徴とする音声自動調整方法。
【請求項１０】
音声信号を含むコンテンツ信号の供給を受けて、当該コンテンツ信号をバッファメモリに書き込み、当該バッファメモリに書き込まれた前記コンテンツ信号を読み出して再生する再生装置においての音量自動調整方法であって、
再生対象のコンテンツ信号を前記バッファメモリに書き込む書き込み工程と、
前記バッファメモリに書き込まれる前記コンテンツ信号の変化点を検出する変化点検出工程と、
前記変化点検出工程において検出する変化点によって挟まれた区間を特定する区間特定工程と、
前記区間特定工程において特定した区間毎に、区間の種別を判別する種別判別工程と、
前記区間特定工程において特定した区間を示す情報と、前記種別判別工程において判別した前記区間の種別を示す情報とを関連付けて区間情報保持手段に記録する区間情報保持工程と、
前記バッファメモリに書き込まれた前記コンテンツデータを読み出す読み出し工程と、
前記読み出し工程において読み出した前記コンテンツ信号についての再生箇所を判定する判定工程と、
前記判定工程において判定した再生箇所に基づいて、前記区間情報保持手段に保持されている情報を参照し、当該再生箇所を含む区間の種別に基づいて、再生対象の音声信号の利得を判定する利得判定工程と、
前記利得判定工程において判定した利得に従って、再生対象の音声信号の利得を調整する調整工程と
を実行することを特徴とする音量自動調整方法。
【請求項１１】
請求項１０に記載の音量自動調整方法であって、
前記区間特定工程において特定した区間毎に、前記音声信号についての音量の代表値を生成する代表値生成工程を備え、
前記区間情報保持工程においては、前記区間特定工程において特定した区間を示す情報と、前記種別判別工程において判別した前記区間の種別を示す情報と、前記代表値生成工程において生成した前記音量の代表値とを関連付けて記憶保持するようにし、
前記利得判定工程においては、前記判定工程において判定した再生箇所に基づいて、前記代表値保持手段に保持されている情報を参照し、各区間の前記音量の代表値を示す情報をも考慮して再生対象の音声信号の利得を判定する
ことを特徴とする音量自動調整方法。
【請求項１２】
音声信号を含むコンテンツ信号の供給を受けて、当該コンテンツ信号をバッファメモリに書き込み、当該バッファメモリに書き込まれた前記コンテンツ信号を読み出して再生する再生装置においての音量自動調整方法であって、
コンテンツ信号の前記バッファメモリへの記録時において、無信号区間と所定パターンの信号が連続する所定パターン区間との一方または両方を検出する検出工程と、
前記検出工程において検出した無信号区間あるいは所定パターン区間を示す情報と、それらの区間の種別を示す情報とを関連付けて区間情報保持手段に記録する区間情報保持工程と、
前記記録媒体から再生対象のコンテンツ信号を読み出す読み出し工程と、
前記読み出し工程において読み出した再生対象の前記コンテンツ信号についての再生箇所を判定する判定工程と、
前記判定工程において判定した再生箇所に基づいて、前記区間情報保持手段に保持されている情報を参照し、当該再生箇所を含む区間の種別に基づいて、再生対象の音声信号の利得を判定する利得判定工程と、
前記利得判定工程において判定した利得に従って、再生対象の音声信号の利得を調整する調整工程と
を実行することを特徴とする音量自動調整方法。
【請求項１３】
音量の異なる区間を有する音声信号を含むコンテンツ信号を記録媒体に記録する処理を行う記録系と、前記記録媒体に記録した前記コンテンツ信号を再生して利用できるようにする再生系とからなる記録再生装置のコンピュータに
記録処理時において、
記録対象の前記コンテンツ信号の変化点を検出する変化点検出ステップと、
前記変化点検出ステップにおいて検出する変化点によって挟まれた区間を特定する区間特定ステップと、
前記区間特定ステップにおいて特定した区間毎に、区間の種別を判別する種別判別ステップと、
前記区間特定ステップにおいて特定した区間を示す情報と、前記種別判別ステップにおいて判別した前記区間の種別を示す情報とを関連付けて区間情報保持手段に記録する区間情報保持ステップと
を実行させ、
再生処理時において、
前記記録媒体から再生対象のコンテンツ信号を読み出す読み出しステップと、
前記読み出しステップにおいて読み出した再生対象の前記コンテンツ信号についての再生箇所を判定する判定ステップと、
前記判定ステップにおいて判定した再生箇所に基づいて、前記区間情報保持手段に保持されている情報を参照し、当該再生箇所を含む区間の種別に基づいて、再生対象の音声信号の利得を判定する利得判定ステップと、
前記利得判定ステップにおいて判定した利得に従って、再生対象の音声信号の利得を調整する調整ステップと
を実行させることを特徴とする音量自動調整プログラム。
【請求項１４】
請求項１３に記載の音量自動調整プログラムであって、
前記記録処理時において、前記区間特定工程において特定した区間毎に、前記音声信号についての音量の代表値を生成する代表値生成ステップを実行させ、
記録処理時に実行する前記区間情報保持ステップにおいては、前記区間特定ステップにおいて特定した区間を示す情報と、前記種別判別ステップにおいて判別した前記区間の種別を示す情報と、前記代表値生成ステップにおいて生成した前記音量の代表値とを関連付けて記憶保持するようにし、
再生処理時に実行する前記利得判定ステップにおいては、前記判定ステップにおいて判定した再生箇所に基づいて、前記代表値保持手段に保持されている情報を参照し、各区間の前記音量の代表値を示す情報をも考慮して再生対象の音声信号の利得を判定する
ことを特徴とする音量自動調整プログラム。
【請求項１５】
音声信号を含むコンテンツ信号を記録媒体に記録する処理を行う記録系と、前記記録媒体に記録した前記コンテンツ信号を再生して利用できるようにする再生系とからなる記録再生装置のコンピュータに、
記録処理時において、
無信号区間と所定パターンの信号が連続する所定パターン区間との一方または両方を検出する検出ステップと、
前記検出ステップにおいて検出した無信号区間あるいは所定パターン区間を示す情報と、それらの区間の種別を示す情報とを関連付けて記憶保持する区間情報保持ステップと
を実行させ、
再生処理時において、
前記記録媒体から再生対象のコンテンツ信号を読み出す読み出しステップと、
前記読み出しステップにおいて読み出した再生対象の前記コンテンツ信号についての再生箇所を判定する判定ステップと、
前記判定ステップにおいて判定した再生箇所に基づいて、前記区間情報保持手段に保持されている情報を参照し、当該再生箇所を含む区間の種別に基づいて、再生対象の音声信号の利得を判定する利得判定ステップと、
前記利得判定ステップにおいて判定した利得に従って、再生対象の音声信号の利得を調整する調整ステップと
を実行させることを特徴とする音声自動調整プログラム。
【請求項１６】
音声信号を含むコンテンツ信号の供給を受けて、当該コンテンツ信号をバッファメモリに書き込み、当該バッファメモリに書き込まれた前記コンテンツ信号を読み出して再生する再生装置のコンピュータに、
再生対象のコンテンツ信号を前記バッファメモリに書き込む書き込みステップと、
前記バッファメモリに書き込まれる前記コンテンツ信号の変化点を検出する変化点検出ステップと、
前記変化点検出ステップにおいて検出する変化点によって挟まれた区間を特定する区間特定ステップと、
前記区間特定ステップにおいて特定した区間毎に、区間の種別を判別する種別判別ステップと、
前記区間特定ステップにおいて特定した区間を示す情報と、前記種別判別ステップにおいて判別した前記区間の種別を示す情報とを関連付けて区間情報保持手段に記録する区間情報保持ステップと、
前記バッファメモリに書き込まれた前記コンテンツデータを読み出す読み出しステップと、
前記読み出しステップにおいて読み出した前記コンテンツ信号についての再生箇所を判定する判定ステップと、
前記判定ステップにおいて判定した再生箇所に基づいて、前記区間情報保持手段に保持されている情報を参照し、当該再生箇所を含む区間の種別に基づいて、再生対象の音声信号の利得を判定する利得判定ステップと、
前記利得判定ステップにおいて判定した利得に従って、再生対象の音声信号の利得を調整する調整ステップと
を実行させることを特徴とする音量自動調整プログラム。
【請求項１７】
請求項１６に記載の音量自動調整プログラムであって、
前記区間特定ステップにおいて特定した区間毎に、前記音声信号についての音量の代表値を生成する代表値生成ステップを実行させ、
前記区間情報保持ステップにおいては、前記区間特定ステップにおいて特定した区間を示す情報と、前記種別判別ステップにおいて判別した前記区間の種別を示す情報と、前記代表値生成ステップにおいて生成した前記音量の代表値とを関連付けて記憶保持するようにし、
前記利得判定ステップにおいては、前記判定ステップにおいて判定した再生箇所に基づいて、前記代表値保持手段に保持されている情報を参照し、各区間の前記音量の代表値を示す情報をも考慮して再生対象の音声信号の利得を判定する
ことを特徴とする音量自動調整プログラム。
【請求項１８】
音声信号を含むコンテンツ信号の供給を受けて、当該コンテンツ信号をバッファメモリに書き込み、当該バッファメモリに書き込まれた前記コンテンツ信号を読み出して再生する再生装置のコンピュータに、
コンテンツ信号の前記バッファメモリへの記録時において、無信号区間と所定パターンの信号が連続する所定パターン区間との一方または両方を検出する検出ステップと、
前記検出ステップにおいて検出した無信号区間あるいは所定パターン区間を示す情報と、それらの区間の種別を示す情報とを関連付けて区間情報保持手段に記録する区間情報保持ステップと、
前記記録媒体から再生対象のコンテンツ信号を読み出す読み出しステップと、
前記読み出しステップにおいて読み出した再生対象の前記コンテンツ信号についての再生箇所を判定する判定ステップと、
前記判定ステップにおいて判定した再生箇所に基づいて、前記区間情報保持手段に保持されている情報を参照し、当該再生箇所を含む区間の種別に基づいて、再生対象の音声信号の利得を判定する利得判定ステップと、
前記利得判定ステップにおいて判定した利得に従って、再生対象の音声信号の利得を調整する調整ステップと
を実行させることを特徴とする音量自動調整プログラム。
【発明の詳細な説明】
【技術分野】
【０００１】
この発明は、例えば、ハードディスクやＤＶＤ（Digital Versatile Disc）などの光ディスクやビデオテープなどを記録媒体として用いる装置、この装置で用いられる音量を自動的に調整するための方法、プログラムに関する。
【背景技術】
【０００２】
テレビ放送により、ドラマや映画などの番組、報道番組、音楽番組、バラエティ番組など、多種多様なテレビ番組が提供されている。テレビ放送により提供される番組には、その番組を提供するスポンサーのコマーシャル（以下、ＣＭと略称する。）が挿入されているのが一般的である。
【０００３】
なお、番組によって、あるいは、放送局によっては、番組中にはスポンサーのコマーシャルを挿入しないものの、番組の直前や直後に番組宣伝やお知らせといったかたちで、視聴者が視聴の目的とする番組本編とは別の情報が挿入されている場合がある。この明細書においては、テレビ放送によって行なわれる番組宣伝やお知らせなどについても、広義のＣＭとして考える。
【０００４】
テレビ番組にＣＭを挿入するにあたっては、番組の雰囲気を壊さないように、また、挿入による情報の切り替わりの結果が番組の構成を盛り上げるような形で挿入するなどの考慮がなされている。例えば、テレビ放送番組が野球の生中継番組である場合には、先攻、後攻の切り替わりのタイミングにＣＭを挿入したり、番組の盛り上がりを避けてＣＭを挿入したり、結果発表の直前にＣＭを挿入したりするなどのことが行われている。
【０００５】
しかし、ＣＭ部分の音声と番組本編部分の音声とは互いに相関があまり無いため、番組本編部分とＣＭ部分との音量（音量レベル）の差異についてはあまり考慮されていないのが現状である。このため、番組本編部分における音声の音量よりも、ＣＭ部分の音声の音量の方が大きい場合が多々ある。このため、番組本編部分からＣＭ部分に切り替わったときに、ＣＭ部分の再生音声が大きなものとなり、視聴者がびっくりしたり、違和感を覚えたりする場合がある。
【０００６】
このような場合、音量のバランスを取るために、視聴者は、例えばテレビ受像機のリモコン（リモートコマンダ）を通じて音量を下げ、次に本編開始後にふたたび音量を上げ、場合によっては音量を上げ下げして、ＣＭ開始前の番組本編部分における音声の音量と一致させようとする操作を繰り返す必要があった。
【０００７】
しかし、テレビ放送番組の視聴中における音量調整操作を頻繁に行うことは面倒である。そこで、後に記す特許文献１には、設定音量レベルを音量レベル記憶回路に記憶保持しておき、再生する音声信号の音量レベルを音量レベル検出回路によって検出し、記憶保持している設定音量レベルと、検出した検出音量レベルとの差分に基づいて、音量調整回路を制御し、再生音声の音量レベルを自動調整する自動音量調整装置の発明が開示されている。
【０００８】
この特許文献１に記載の発明を用いることにより、テレビ放送におけるＣＭと番組本編との音量差ばかりでなく、選局毎やＣＤ（Compact Disc）などの音声ソースの入れ換え毎に音量調整を行う煩わしさをなくすことが可能となる。
【０００９】
なお、上記の特許文献１は、以下の通りである。
【特許文献１】特開平６−３７５６３号公報
【発明の開示】
【発明が解決しようとする課題】
【００１０】
ところで、上述した特許文献１に記載の技術の場合、設定音量レベルと検出音量レベルとの差分に基づいて、再生音声レベルを自動調整するようにしているので、テレビ放送番組の番組本編中においても音量レベルの自動調整が行われてしまう場合があり、このことが却って不都合となる場合がある。
【００１１】
例えば、映画やドラマのテレビ放送番組の場合、会話のシーンとカーチェイスのシーンとでは音量が異なる場合もあるし、クライマックスシーンにおいては、音量を大きくするなどのことも行われている。このように、番組本編中においても音量が異なる部分がある場合があり、テレビ放送番組自体を楽しむ上にいては、そのような部分についてまで音量の自動調整を行うことが好ましくない場合もある。
【００１２】
さらに、近年においては、テレビ放送番組を受信して記録する、例えば、ＤＶＤレコーダやハードディスクレコーダ等の記録再生装置が広く用いられるようになっている。このような記録再生装置では、テレビ放送番組を忠実に記録して忠実に再生するようにしており、音声信号については一定の利得のもとに再生する。このため、記録（録画）したテレビ放送番組を再生して視聴する場合にも、再生する部分で音量が異なることによる問題が生じている。
【００１３】
以上の点にかんがみ、この発明は、例えばテレビ放送番組などのコンテンツ信号を利用する場合において、コンテンツの本編部分とそれ以外の部分とで生じる音量差を自動的に調整し、違和感無くコンテンツ信号を利用できるようにすることを目的とする。
【課題を解決するための手段】
【００１４】
上記課題を解決するため、請求項１に記載の発明の記録再生装置は、
音量の異なる区間を有する音声信号を含むコンテンツ信号を記録媒体に記録する処理を行う記録系と、前記記録媒体に記録した前記コンテンツ信号を再生して利用できるようにする再生系とからなる記録再生装置であって、
前記記録系は、
記録対象の前記コンテンツ信号の変化点を検出する変化点検出手段と、
前記変化点検出手段によって検出される変化点によって挟まれた区間を特定する区間特定手段と、
前記区間特定手段によって特定された区間毎に、区間の種別を判別する種別判別手段と、
前記区間特定手段によって特定された区間を示す情報と、前記種別判別手段によって判別された前記区間の種別を示す情報とを関連付けて記憶保持する区間情報保持手段と
を備え、
前記再生系は、
前記記録媒体から再生対象のコンテンツ信号を読み出す読み出し手段と、
前記読み出し手段によって読み出された再生対象の前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする。
【００１５】
この請求項１に記載の発明の記録再生装置によれば、記録系の機能により、目的とするコンテンツ信号が記録媒体に記録される。この記録時において、変化点検出手段によりコンテンツ信号の変化点が検出され、区間特定手段により変化点で挟まれた区間が特定され、種別判別手段により、各区間の種別、例えば、番組本編区間、ＣＭ区間などの種別が判別される。そして、区間情報保持手段に、区間を示す情報とその区間の種別を示す情報とが記憶保持される。
【００１６】
そして、再生系の機能より、記録媒体に記録されたコンテンツ信号が再生される。この再生時において、記録媒体に記憶されているコンテンツ信号は読み出し手段により読み出されるが、読み出されたコンテンツ信号の再生箇所が判定手段により判定される。そして、利得判定手段によって、区間情報保持手段に記憶保持されている情報が参照され、再生箇所が属する区間の種別に基づいて、再生対象の音声信号の音量に対する利得が判定され、この判定された利得に従って、調整手段により再生音声の音量に対する利得が調整される。
【００１７】
これにより、記録媒体に記録されたコンテンツ信号が、例えばテレビ放送番組を録画したものである場合に、番組本編部分とその他の部分とで再生音声の音量に対する利得が自動的に調整され、ユーザーの手を煩わせることなく、常時、違和感無くコンテンツ信号を再生し、適正な音量でコンテンツを利用することができるようにされる。
【００１８】
また、請求項２に記載の発明の記録再生装置は、請求項１に記載の記録再生装置であって、
前記記録系は、前記区間特定手段によって特定された区間毎に、前記音声信号についての音量の代表値を生成する代表値生成手段を備え、
前記記録系の前記区間情報保持手段は、前記区間特定手段によって特定された区間を示す情報と、前記種別判別手段によって判別された前記区間の種別を示す情報と、前記代表値生成手段によって生成された前記音量の代表値とを関連付けて記憶保持するものであり、
前記再生系の前記利得判定手段は、前記判定手段によって判定された再生箇所に基づいて、前記代表値保持手段に保持されている情報を参照し、各区間の前記音量の代表値を示す情報をも考慮して再生対象の音声信号の利得を判定する
ことを特徴とする。
【００１９】
この請求項２に記載の発明の記録再生装置によれば、コンテンツ信号の記録時において、区間特定手段によって特定された区間毎に、代表値生成手段により音量の代表値が生成される。この音量の代表値は、各区間毎に区間情報保持手段に記憶保持される。そして、利得判定手段により、再生箇所を含む区間やその前後の区間などの音量の代表値も考慮されて、再生音声の音量に対する利得が判定されて、これに応じて再生音声の音量に対する利得が調整される。これにより、再生音声の音量の利得をより適正に自動調整することができるようにされる。
【００２０】
また、請求項３に記載の発明の記録再生装置は、
音声信号を含むコンテンツ信号を記録媒体に記録する処理を行う記録系と、前記記録媒体に記録した前記コンテンツ信号を再生して利用できるようにする再生系とからなる記録再生装置であって、
前記記録系は、
記録時において、無信号区間と所定パターンの信号が連続する所定パターン区間との一方または両方を検出する検出手段と、
前記検出手段によって検出された無信号区間あるいは所定パターン区間を示す情報と、それらの区間の種別を示す情報とを関連付けて記憶保持する区間情報保持手段と
を備え、
前記再生系は、
前記記録媒体から再生対象のコンテンツ信号を読み出す読み出し手段と、
前記読み出し手段によって読み出された再生対象の前記コンテンツ信号についての再生箇所を判定する判定手段と、
前記判定手段によって判定された再生箇所に基づいて、前記区間情報保持手段に保持されている情報を参照し、当該再生箇所を含む区間の種別に基づいて、再生対象の音声信号の利得を判定する利得判定手段と、
前記利得判定手段によって判定された利得に従って、再生対象の音声信号の利得を調整する調整手段と
を備えることを特徴とする。
【００２１】
この請求項３に記載の発明の記録再生装置によれば、記録系の機能により、目的とするコンテンツ信号が記録媒体に記録される。この記録時において、検出手段により無信号区間と所定パターン区間との一方または両方が検出するようにされ、検出された無信号区間、所定パターン区間については、その区間を示す情報と、その種別とが関連付けられて区間情報保持手段に記憶保持される。
【００２２】
そして、再生系の機能より、記録媒体に記録されたコンテンツ信号が再生される。この再生時において、記録媒体に記憶されているコンテンツ信号は読み出し手段により読み出されるが、読み出されたコンテンツ信号の再生箇所が判定手段により判定される。そして、利得判定手段によって、区間情報保持手段に記憶保持されている情報が参照され、再生箇所が属する区間の種別に基づいて、再生対象の音声信号の利得が判定され、この判定された利得に従って、調整手段により再生対象の音声信号の音量に対する利得が調整される。
【００２３】
これにより、例えばテレビ放送番組を録画するようにした場合であって、放送開始前や放送終了後において、放送信号が存在しないままの状態で録画を行ってしまったり、いわゆるカラーパターンなどのテスト信号の録画を行ってしまったりした場合であっても、無信号であるために発生する「ザー」という音や所定のトーン信号の「ピー」という音など、視聴者にとっては無意味な音声を大きな音量で再生し続けないように自動的に音量に対する利得を調整することができるようにされる。
【発明の効果】
【００２４】
目的とするコンテンツ信号において、本編部分とその他の部分とで適正に再生音声の音量に対する利得を自動調整することができる。したがって、ユーザーがいちいち音量調整のための操作を行うことなく、目的とするコンテンツ信号の本編とその他の部分との音声信号の音量差（音量のレベル差）によって感じる違和感や不快感を低減させることができる。
【００２５】
また、再生される音声信号の音量のバランスを取るために、本編以外の部分では音量を下げ、本編部分では音量を上げ、場合によっては音量を上げ下げして本編部分の音量を調整するなどといった面倒な調整操作を不要にすることができる。
【発明を実施するための最良の形態】
【００２６】
以下、図を参照しながら、この発明による装置、方法、プログラムの一実施の形態について説明する。なお、以下に説明する第１、第２の実施の形態においては、この発明をハードディスクレコーダに適用した場合を例にして説明し、第３の実施の形態として、この発明を、いわゆる追いかけ再生が可能な再生装置に適用した場合を例にして説明する。
【００２７】
［第１の実施の形態］
［構成の概略］
図１は、この第１の実施の形態のハードディスクレコーダを説明するためのブロック図であり、図２は、この第１のハードディスクレコーダのシーン区間処理部１７を説明するためのブロック図である。この第１の実施の形態のハードディスクレコーダは、受信、選局したテレビ放送信号や外部機器から供給される映像信号及び音声信号などをコンテンツ信号（コンテンツデータ）としてハードディスクに記録することができると共に、当該ハードディスクに記録したコンテンツ信号を読み出して再生することができるものである。
【００２８】
この第１の実施の形態のハードディスクレコーダは、大きく分けると、記録系と再生系と制御系とからなっている。記録系は、地上波アナログテレビ放送信号（以下、単にテレビ放送信号という。）の受信アンテナ１１と、チューナ部１２と、アナログ映像（画像）信号の入力端子（以下、単に映像入力端子という。）１３と、アナログ音声信号の入力端子（以下、単に音声入力端子という。）１４と、セレクタ１５と、録画処理部１６と、シーン区間処理部１７とにより構成される部分である。なお、詳しくは後述もするが、記録系のシーン区間処理部１７は、図２に示すように、シーン変化点検出部１７１と、シーン区間検出部１７２と、区間種別検出部１７３とからなるものである。
【００２９】
再生系は、再生箇所判定部３１と、音量利得判定部３２と、再生処理部３３と、映像処理部３４と、映像信号の出力端子３５と、音声処理部３６と、音声信号の出力端子３７とにより構成される部分である。なお、ドライブ制御部２０、ハードディスクドライブ（以下、ＨＤＤと略称する。）２１は、共に記録時及び再生時において使用されるものであり、記録時においては記録系を構成する部分として機能し、再生時においては再生系を構成する部分として機能する。
【００３０】
また、制御系は、制御部４０がその機能を実現するようにしている。制御部４０は、ＣＰＵ（Central Processing Unit）４１、ＲＯＭ(Read Only Memory)４２、ＲＡＭ（Random Access Memory）４３、ＥＥＰＲＯＭ（Electrically Erasable and Programmable ROM）４４が、ＣＰＵバス４５を通じて接続されて形成されたマイクロコンピュータであり、このハードディスクレコーダの各部を制御する。
【００３１】
この制御部４０には、図１に示すように、時計回路５１と、操作入力部５２と、区間情報保持部５３と、リモコン信号受光部５４とが接続されている。ここで、時計回路５１は、現在時刻を提供するものであり、カレンダ機能をも備え、現在年月日、現在曜日をも提供することができるものである。また、時計回路５１は、所定の期間を計測するカウンタとしても用いることができるものである。
【００３２】
操作入力部５２は、電源のオン／オフスイッチ、再生キー、停止キー、一時停止キー、早送りキー、早戻しキーなどの種々の操作キーを備え、ユーザーからの操作入力を受け付けて、受け付けた操作入力に応じた電気信号を制御部４０に供給することができるものである。これにより、制御部４０は、ユーザーからの指示（操作入力）に応じて各部を制御することができるようにされる。
【００３３】
区間情報保持部５３は、詳しくは後述もするように、記録対象のコンテンツ信号についての区間情報を記憶保持するものであり、フラッシュメモリーやＥＥＰＲＯＭなどの不揮発性メモリが用いられたものである。なお、専用のドライバや接続端子を設けることにより、区間情報保持部５３を、ハードディスクやＭＤ（Mini Disc（登録商標））、メモリーカード、ＵＳＢ（Universal Serial Bus）接続の外部メモリ等の他の種々の記録媒体を用いて構成することもできる。
【００３４】
リモコン信号受光部５４は、このハードディスクレコーダのリモコン６０からの赤外線のリモコン信号を受光し、これを電気信号に変換して制御部４０に供給することができるものである。これにより、リモコン６０及びリモコン信号受光部５４を通じて受け付けたユーザーからの操作入力に応じて、制御部４０がハードディスクレコーダの各部を制御することができるようにされる。
【００３５】
なお、リモコン６０は、操作入力部５２と同様に、電源のオン／オフキー、再生キー、停止キー、一時停止キー、早送りキー、早戻しキーなどの種々の操作キーを備え、ユーザーからの操作入力に応じた例えば赤外線のリモコン信号を形成し、これを送出することができるものである。また、リモコン６０や操作入力部５２を通じて、種々の設定や録画予約などを行うこともできるようにしている。
【００３６】
［ハードディスクレコーダの動作について］
次に、この第１の実施の形態のハードディスクレコーダの動作について、その構成を踏まえつつ詳細に説明する。以下においては、記録時の動作と再生時の動作に分けて説明する。
【００３７】
［記録時の動作（処理）について］
まず、記録時の動作について説明する。この第１の実施の形態のハードディスクレコーダは、図１に示したように、テレビ放送信号の受信アンテナ１１及びチューナ部１２と、映像入力端子１３及び音声入力端子１４との２系統の入力端を備えている。そして、操作入力部５２またはリモコン６０を通じて受け付けるユーザーからの操作入力に応じて、受信アンテナ１１及びチューナ部１２を通じて受信選局されたテレビ放送信号と、映像入力端子１３および音声入力端子１４を通じて受け付けた映像信号および音声信号とからなるコンテンツ信号の内の一方をＨＤＤ２１のハードディスクに記録することができるようにしている。
【００３８】
そして、受信アンテナ１１を通じて受信された種々のテレビ放送信号は、チューナ部１２に供給される。チューナ部１２は、受信アンテナ１１により受信された種々のテレビ放送信号のうち、制御部４０から供給されるユーザーからの操作入力に応じた選局制御信号に基づいて、目的とするテレビ放送信号を選局する。
【００３９】
そして、チューナ部１２は、選局したテレビ放送信号を復調し、映像信号Ｖ１と音声信号Ａ１とに分離してこれらをセレクタ１５に供給する。一方、映像入力端子１３を通じて受け付けた映像信号Ｖ２及び音声入力端子１４を通じて受け付けた音声信号Ａ２もまたセレクタ１５に供給される。
【００４０】
セレクタ１５は、制御部４０から供給されるユーザーからの操作入力に応じた切替制御信号に基づいて、チューナ部１２からの映像信号Ｖ１と音声信号Ａ１とを出力するか、外部入力端子１３、１４を通じて受け付けた映像信号Ｖ２と音声信号Ａ２とを出力するかを切り換える。セレクタ１５から出力された映像信号Ｖｄと音声信号Ａｕとは録画処理部１６に供給される。
【００４１】
録画処理部１６は、制御部４０により制御され、これに供給された映像信号と音声信号とをＡ／Ｄ（Analog/Digital）変換してデジタルデータである映像データと音声データとを形成し、これらをシーン区間処理部１７に供給すると共に、これらを所定のデータ圧縮方式、例えば、ＭＰＥＧ（Moving Picture Experts Group）方式でデータ圧縮する。そして、録画処理部１６は、データ圧縮した映像データと音声データとをパケット化すると共に、必要な制御データを生成してパケット化し、これらパケット化された映像データと音声データと制御データとを時分割多重して、ハードディスクに記録するためのプログラムストリームを形成し、これをドライブ制御部２０に供給する。
【００４２】
ドライブ処理部２０は、制御部２０により制御され、記録時においては、ＨＤＤ２１を制御して、録画処理部１６からのプログラムストリームをＨＤＤ２１のハードディスクの空き領域に記録する処理を行う。このようにして、セレクタ１５からの映像信号と音声信号とがＨＤＤ２１のハードディスクに記録（録画）される。
【００４３】
一方、コンテンツ信号のＨＤＤ２１への記録と並行して、シーン区間処理部１７において、記録対象のコンテンツ信号における種々のシーン区間を検出してその位置を特定し、この特定したシーン区間の種別を判別して、これらシーン区間の位置とシーン区間の種別とを対応付けたデータを、制御部４０を通じて区間情報保持部５３に記録するようにしている。
【００４４】
ここで、シーンとは、一連のコンテンツ信号において、ＣＭ部分、番組オープニング部分、番組本編部分、番組エンディング部分など、映像信号や音声信号の特徴や性質などによって区別することが可能な各部分をいう。もちろん、番組本編中の各場面もまたシーンである。そして、一連のコンテンツ信号において、各シーンが占める部分が各シーン区間である。また、シーン区間の種別とは、ＣＭ、番組オープニング、番組本編、番組エンディングなど、各シーン区間がどのような種類のシーンであるかを示す情報である。
【００４５】
以下、シーン区間処理部１７においての処理を具体的に説明する。図２にも示したように、この第１の実施の形態のシーン区間処理部１７は、シーン変化点検出部１７１と、シーン区間検出部１７２と、区間種別検出部１７３とからなっており、録画処理部１６からの映像データと音声データとは、シーン区間処理部１７のシーン変化点検出部１７１に供給される。
【００４６】
シーン変化点検出部１７１は、録画処理部１６からの映像データと音声データとの一方または両方を用いてシーン変化点を検出する処理を行う。ここでシーン変化点を検出する処理は、種々の方法を用いて行うことができる。例えば、映像データを用いてシーン変化点を検出する場合には、隣接するフレーム間の映像データ同士で差分を求め、求めた差分が所定値以上に大きくなった場合にシーン変化点であると判断することができる。
【００４７】
また、別の方法として、例えば、フレーム単位に映像データの輝度成分と色成分について分析を行い、この分析結果に基づいて隣接するフレーム間の類似度を判別するようにし、類似度が小さい場合に、シーン変化点であると判断することができる。また、音声データを用いる場合には、映像データのフレームに対応する区間毎のように、所定の区間単位に周波数分析を行い、隣接する区間同士の類似度を求め、この求めた類似度が予め決められた類似度よりも小さい場合に、シーン変化点であると判断することができる。
【００４８】
もちろん、映像データと音声データとのそれぞれについて、シーン変化点を検出するようにし、両方においてシーン変化点であると検出された部分をシーン変換化点であると判断するようにしてもよい。このようにする場合には、映像データと音声データとで検出処理の単位を同じにしておく必要があり、例えば、検出処理の単位を映像データのフレーム単位で検出処理を行うようにすればよい。
【００４９】
そして、シーン変化点検出部１７１においての検出結果は、シーン区間検出部１７２に供給される。シーン区間検出部１７２は、シーン変化点検出部１７１からの検出結果に基づいて、シーン変化点とシーン変化点とで挟まれた区間をシーン区間として検出する。例えば、映像データのフレーム単位にシーン変化点の検出を行った場合、シーン変化点とされた２フレーム間において、時間的に前のフレームが、直前のシーン区間の終了点であり、後のフレームが次のシーン区間の開始点となり、シーン区間の位置をフレーム番号によって特定することができるようにされる。
【００５０】
なお、この場合、検出対象のコンテンツ信号の先頭フレームはシーン区間の開始点であり、最後尾はシーン区間の終了点となる。また、シーン区間検出部１７２においては、検出した各シーン区間において、そのシーン区間を構成するフレーム総数を把握したり、フレーム総数に応じて、そのシーン区間の再生時間を把握したりすることもできる。したがって、各シーン区間を開始点とフレーム総数や再生に要する間を用いて特定することもできるようにされる。
【００５１】
シーン区間検出部１７２からの検出結果は、区間種別検出部１７３に供給される。区間種別検出部１７３は、シーン区間検出部１７２からの検出結果に基づいて、各シーン区間の種別を検出する。具体的には、ＣＭ区間がほぼ１５秒の倍数関係の時間長を有することを利用し、各シーン区間の時間長（再生時間の長さ）に基づいて、各シーン区間がＣＭ部分であるか、それ以外の本編部分であるかを検出するようにしている。
【００５２】
すなわち、区間種別検出部１７３は、１５秒、３０秒、４５秒などのように、１５秒の倍数の時間長を有するシーン区間が、複数連続して存在する部分の各シーン区間については、それらの各シーン区間はＣＭ区間であると検出し、その他の部分は、本編区間であると検出する。
【００５３】
そして、区間種別検出部１７３からの検出出力が、制御部４０を通じて区間情報保持部５３に供給され、記憶保持するようにされる。ここで、区間種別検出部１７３からの検出出力は、シーン区間検出部１７２で検出された各シーン区間の開始点を示す情報と、終了点を示す情報と、これら開始点、終了点によって特定されるシーン区間の区間種別を示す情報とからなるものである。
【００５４】
図３は、この第１の実施の形態のハードディスクレコーダにおいて、シーン区間処理部１７の区間種別検出部１７３からの検出出力に基づいて、区間情報保持部５３に形成される区間情報データベースの一例を説明するための図である。図３に示すように、この第１の実施の形態のハードディスクレコーダにおいては、コンテンツＩＤ、シーン区間、区間種別からなる区間情報データベースを形成する。
【００５５】
ここで、コンテンツＩＤは、ＨＤＤ２１のハードディスクに記録されたコンテンツ信号を識別するためのいわゆるファイル名であり、コンテンツ信号の記録を行うようにする都度つけられるものである。通常は、コンテンツＩＤは、ユーザーによって入力された情報が用いられるが、ユーザーによって入力されないときには、この第１の実施の形態のハードディスクレコーダによって、自動的に生成されて付与される。
【００５６】
また、シーン区間は、シーンの開始点、終了点とからなるものであり、上述もしたように、シーン区間処理部１７のシーン区間検出部１７２において検出されたシーン区間の開始点、終了点が用いられる。この場合、各シーン区間の開始点、終了点は、上述もしたように、フレーム番号などにより一意に特定することができるものである。
【００５７】
また、区間種別は、上述もしたように、シーン区間処理部１７の区間種別検出部１７３において検出された情報が用いられ、図３に示すように、検出された各シーン区間が、ＣＭ部分か本編部分かを区別することができるものである。なお、実際には、本編区間は「０」、ＣＭ区間は「１」などのように数値化され管理できるようにされる。
【００５８】
このように、テレビ放送信号により提供されるコンテンツ信号（テレビ放送番組）や、外部入力端子１３、１４を通じて外部機器から供給される映像信号や音声信号などのコンテンツ信号をＨＤＤ２１のハードディスクに記録する場合には、記録対象のコンテンツ信号について、シーン変化点の検出、シーン区間の検出、シーン区間種別の検出が順次行われ、これらの検出結果に基づいて、図３に示したように、区間情報保持部５３に区間情報データベースを形成するように構成している。この区間情報データベースによって、一連のコンテンツ信号における各シーン区間の位置と長さ（再生時間）とを把握することができる。
【００５９】
なお、ここでは、各シーン区間の開始点や終了点を、例えば、映像データのフレーム番号によって特定できるものとして説明したが、これに限るものではない。フィールド番号を用いて特定できるようにしてもよい。また、記録対象のコンテンツ信号の先頭を基準とするタイムスタンプを付しておき、このタイムスタンプを用いて、各シーン区間の開始点や終了点を特定できるようにしてもよい。もちろん、フィールド番号やタイムスタンプにより、開始点を特定し、フィールド数、フレーム数、あるいは、再生に要する時間などによって、シーン区間の終了点を特定できるようにしてもよい。
【００６０】
また、この第１の実施の形態のハードディスクレコーダにおいて、シーン区間処理部１７は、録画処理部１６からの映像データ及び音声データを用いるようにしたが、これに限るものではない。上述したシーン区間処理部１７における処理を、データ圧縮後の映像データや音声データを用いて行うようにすることもできる。
【００６１】
シーンが数フレーム単位に変わることは通常考えられないので、映像データや音声データが、例えば、ＭＰＥＧ２方式でデータ圧縮されたものである場合、Ｉピクチャのフレームデータに基づいて、画像の分類処理を行い、シーン変化点を検出するようにすることもできる。
【００６２】
例えば、Ｉピクチャのフレームデータを複数の画像領域に分割し、各画像領域におけるＹ成分（輝度成分）、Ｃｂ成分（青の色差成分）、Ｃｒ成分（赤の色差成分）のＤＣＴ(Discrete Cosine Transform)係数のうちのＤＣ係数の平均値を成分とする複数次の３つのベクトルＡｙ(輝度ベクトル)、Ａｂ(青の色差ベクトル)、Ａｒ（赤の色差ベクトル）を生成し、これらのベクトルデータと、他のＩピクチャのフレームデータについてのベクトルデータとの距離に基づいて、類似画像と非類似画像とを分類するようにして、シーン変化点を検出するようにすることもできる。
【００６３】
なお、このように、ＭＰＥＧ２方式でデータ圧縮された映像データを用いて類似区間と非類似区間とを判断する方式は、特開２００３−２１９３４８号公報に詳細に説明されている。
【００６４】
また、この第１の実施の形態のハードディスクレコーダにおいては、少なくとも、ＣＭ区間と本編区間とが正確に区別することができればよいので、映像データや音声データの他の特徴を用いて、シーン変化点を検出し、シーン区間を特定して、区間種別を検出することも可能である。
【００６５】
例えば、日本のテレビ放送信号の場合、上述もしたように、ＣＭ区間はほぼ１５秒の倍数関係の時間長を有し、本編区間の終了点とＣＭ区間の開始点との間、ＣＭ区間同士の間、ＣＭ区間の終了点と本編区間の開始点との間には、無音区間が設けられるようにされている。このため、無音区間が現れる時間間隔が１５秒の倍数関係になっている区間を、一連のＣＭ区間として検出し、特定することができる。
【００６６】
また、米国のテレビ放送信号の場合、ＣＭ区間がほぼ１５秒の整数倍の時間長であることは日本の場合と同じであるが、無音区間の検出だけではＣＭ区間が正しく検出できなため、テレビ放送番組のＣＭ区間の開始点及び終了点においては、輝度信号レベルがほぼ黒レベルである複数フィールド区間が存在することが知られている。そこで、輝度信号レベルがほぼ黒レベルとなる区間を検出するようにし、この検出周期がほぼ１５秒の倍数関係になっている場合に、その区間のＣＭ区間として特定することができる。
【００６７】
このように、無音区間の検出周期や黒レベル区間の検出周期に基づいて、ＣＭ区間とそれ以外の本編区間とを正確に検出し、検出した各区間については、同時に、どの区間がＣＭ区間であって、どの区間が本編区間であるかについても特定することができるようにされる。
【００６８】
［再生時の動作（処理）について］
次に、上述したように、ＨＤＤ２１のハードディスクに記録されたコンテンツ信号を再生する場合の動作（処理）について説明する。操作入力部５２あるいはリモコン６０を通じて、ＨＤＤ２１に記録されているコンテンツ信号を再生するようにする操作入力が行われると、制御部４０は再生系の各部を制御し、ＨＤＤ２１に記録されている目的とするコンテンツ信号（プログラムストリーム）の再生処理を開始する。
【００６９】
まず、制御部４０はドライブ制御部２０を制御し、ＨＤＤ２１を制御して目的とするコンテンツ信号を読み出し、これを再生箇所判定部３１に供給する。再生箇所判定部３１は、これに供給されたコンテンツ信号を音声処理部３３に供給すると共に、供給されたコンテンツ信号の再生箇所を特定し、この特定した再生箇所を示す情報を音量利得制御部３２に供給する。
【００７０】
再生処理部３３は、コンテンツ信号を映像データ、音声データ、制御データとに分離すると共に、映像データと音声データとについては圧縮解凍処理を行って、データ圧縮前の元の映像データと音声データとを復元する。そして、再生処理部３３は、復元した映像データと音声データとのそれぞれを、Ｄ／Ａ（Digital/Analog）変換してアナログ映像信号とアナログ音声信号を形成し、アナログ映像信号については映像処理部３４に供給し、アナログ音声信号については、音声処理部３６に供給する。
【００７１】
そして、映像処理部３４は、これに供給されたアナログ映像信号から出力する形式のアナログ映像信号を形成し、これを映像出力端子３５を通じて出力して、映像モニタ装置に供給するようにする。この場合、映像処理部３４は、制御部４０からの制御に応じて、画質などについての調整を行うこともできるようにしている。
【００７２】
音声処理部３６は、これに供給されたアナログ音声信号から出力する形式のアナログ音声信号を形成し、これを音声出力端子３７を通じて出力して、スピーカに供給するようにする。この場合、音声処理部３６は、制御部４０、または、利得判定部３２からの制御に応じて、再生音声の利得を制御し、再生音声の音量（音量レベル）を調整することもできるようにしている。
【００７３】
一方、音量利得判定部３３は、再生箇所判定部３１からの再生箇所を示す情報に基づいて、制御部４０を介して区間情報保持部５３に記憶保持されている区間情報データベースから必要な情報の供給を受け、再生箇所が属するシーン区間は、ＣＭ区間か、それ以外の区間かを判断する。
【００７４】
そして、音量利得判定部３２は、今回の判定結果と前回の判定結果とを考慮して、再生音声の音量を調整するために、再生音声の利得を制御する必要があるか否かを判断して、制御する必要があると判断した場合に、再生音声の利得を制御するための制御信号を形成し、これを音声処理部３６に供給する。
【００７５】
具体的には、音量利得判定部３２は、以下のように動作する。音量利得判定部３２は、前回の再生箇所が本編区間（本編のシーン区間）であり、今回の再生箇所がＣＭ区間であると判断したときには、再生箇所が、本編区間（本編のシーン区間）からＣＭ区間に入ったと判断し、再生音声の音量を一定量下げるように再生音声の音量に対する利得を制御する制御信号を形成し、これを音声処理部３６に供給する。
【００７６】
また、音量利得判定部３２は、前回の再生箇所がＣＭ区間であり、今回の再生箇所が本編区間であると判断したときには、再生箇所が、ＣＭ区間から本編区間に入ったと判断し、再生音声の音量を一定量上げるように再生音声の音量に対する利得を制御する制御信号を形成し、これを音声処理部３６に供給する。
【００７７】
また、音量利得判定部３２は、前回の再生箇所と今回の再生箇所との両方が、ＣＭ区間であるか、または、本編区間である場合には、再生箇所が種別の異なるシーン区間に移っていないと判断したときには、再生音量の音量はそのまま維持する。したがって、再生音声の利得については変更する必要はないので、利得制御のための制御信号は形成しないようにする。
【００７８】
このように、この第１の実施の形態のハードディスクレコーダは、コンテンツ信号をＨＤＤ２１に記録する際に、当該コンテンツ信号についてシーン区間を検出すると共に、各シーン区間の種別を検出して、これらの検出した情報についても対応付けて記憶保持することができるようにしている。
【００７９】
そして、ＨＤＤ２１に記録されたコンテンツ信号を再生する際には、再生箇所を特定し、この特定した再生箇所がＣＭ区間にあるときには、再生音声のレベルを一定量下げ、本編区間にあるときには、ユーザーによって調整された再生音声のレベルを維持するというように、再生箇所が属するシーン区間の種別に応じて、再生音声の音量を自動的に制御することができるようにしている。
【００８０】
これにより、再生箇所が本編区間からＣＭ区間に入った場合に、再生音声の音量が急に大きくなることを防止することができる。また、本編区間においては、再生音声の音量は、ユーザーによって指示された元のボリュームのままとなるようにされる。すなわち、再生箇所が、ＣＭ区間から本編区間に移った場合には、再生音声の音量は、前の本編区間においての音量と同じレベルになるように制御される。
【００８１】
そして、本編区間においては、再生音声の音量が大きくなるシーン区間が発生しても、音量の自動調整はおこなわれないようにされる。つまり、再生されるテレビ放送番組などのコンテンツの再生音声自体が、ユーザーが意図しないシーン区間で自動調整されることは無いので、コンテンツの本来の態様での再生を阻害することもない。
【００８２】
［記録時と再生時の動作（処理）のまとめ］
次に、上述したこの第１の実施の形態のハードディスクレコーダの記録時の動作と再生時の動作について図４、図５のフローチャートを参照しながらまとめる。まず、記録時の動作についてまとめる。
【００８３】
図４は、この第１の実施の形態のハードディスクレコーダの記録時（録画時）の動作を説明するためのフローチャートである。この図４に示す処理は、操作入力部５２またはリモコン６０を通じて、ユーザーからの記録（録画）処理を行うことを指示する操作入力を受け付けた場合、あるいは、いわゆる録画予約され、予約された時刻が到来した場合に、主に、シーン区間処理部１７の各部において行われる。
【００８４】
記録開始の操作入力を受け付けると、あるいは、録画予約時刻が到来すると、制御部４０は、チューナ部１２、セレクタ１５、録画処理部１６、ドライブ制御部２０を制御して、受信アンテナ１１及びチューナ部１２を通じて受信選局したテレビ放送番組のコンテンツ信号、あるいは、外部入力端子１３、１４を通じて受け付けた外部機器からのコンテンツ信号のＨＤＤ２１のハードディスクへの記録（録画）処理を開始する（ステップＳ１０１）。
【００８５】
そして、制御部４０は、シーン区間処理部１７を制御して、記録対処のコンテンツ信号について、各シーン区間を特定すると共に、各シーン区間の種別を検出して、区間情報データベースを形成する処理を行うようにする。すなわち、シーン区間処理部１７のシーン変化点検出部１７１は、制御部４０の制御に応じて、シーン変化点を検出する処理を開始する（ステップＳ１０２）。
【００８６】
そして、シーン区間処理部１７のシーン区間検出部１７２は、シーン変化点検出部１７１からの検出結果に基づいて、シーン変化点を検出したか否かを判断し（ステップＳ１０３）、検出していないと判断したときには、シーン区間検出部１７２は、ステップＳ１０３からの処理を繰り返すようにする。
【００８７】
ステップＳ１０３の判断処理において、シーン変化点を検出したと判断したときには、シーン区間検出部１７２は、シーン変化点は複数存在するか否かを判断し（ステップＳ１０４）、複数存在しないと判断したときには、シーン区間検出部１７２は、ステップＳ１０３からの処理を繰り返すようにする。
【００８８】
ステップＳ１０４の判断処理において、シーン変化点が複数存在すると判断したときには、シーン区間検出部１７２は、シーン変化点によって挟まれた区間をシーン区間として検出する処理を行う（ステップＳ１０５）。そして、区間種別検出部１７３は、シーン区間検出部１７３からの検出結果に基づいて、区間種別を判別する（ステップＳ１０６）。
【００８９】
そして、区間種別検出部１７３は、検出結果を制御部４０を通じて、区間情報保持部５３に保存する（ステップＳ１０７）。このステップＳ１０７の処理により、図３に示した区間情報データベースが形成するようにされる。この後、制御部４０は、記録処理は終了したか否かを判断する（ステップＳ１０８）。この場合、制御部４０は、記録終了を指示する操作入力を受け付けたか、あるいは、録画予約における終了時刻が到来した場合には、記録は終了したと判断し、そうでない場合には、記録は終了していないと判断する。
【００９０】
ステップＳ１０８の判断処理において、記録処理は終了していないと判断したときには、制御部４０は、シーン区間処理部１７を制御して、ステップＳ１０３からの処理を繰り返すようにする。また、ステップＳ１０８の判断処理において、記録処理は終了したと判断したときには、この図４に示す処理を終了する。
【００９１】
このように、この実施の形態のハードディスクレコーダは、コンテンツ信号のハードディスクへの記録と並行して、記録対象のコンテンツ信号について、図３に示した区間情報データベースを区間情報保持部５２に形成する。
【００９２】
次に、再生時の動作についてまとめる。図５は、この第１の実施の形態のハードディスクレコーダの再生時の動作を説明するためのフローチャートである。この図４に示す処理は、操作入力部５２またはリモコン６０を通じて、ユーザーからの再生処理を行うことを指示する操作入力を受け付けた場合に、主に、再生箇所判定部３１、音量利得判定部３２、音声処理部３６において行われる。
【００９３】
再生開始の操作入力を受け付けると、制御部４０は、ドライブ制御部２０、判定箇所判定部３２、再生処理部３３、映像処理部３４、音声処理部３６を制御して、ＨＤＤ２１のハードディスクに記録されている目的とするコンテンツ信号を読み出して再生する処理を開始する（ステップＳ２０１）。
【００９４】
そして、再生箇所判定部３１は制御部４０の制御により動作を開始し、ドライブ制御部２０によって、ＨＤＤ２１のハードディスクから読み出されたコンテンツ信号の供給を受けて、当該コンテンツ信号の再生箇所を判定し、その判定結果を音量利得判定部３２に通知する（ステップＳ２０２）。
【００９５】
音量利得判定部３２は、再生箇所判定部３１からの再生箇所の判定結果に基づいて、当該再生箇所を含むシーン区間の種別を、制御部４０を通じて区間情報保持部５３から取得する（ステップＳ２０３）。そして、音量利得判定部３２は、前回取得した種別をも考慮し、再生箇所が属するシーン区間の種別が、前回の再生箇所が属するシーン区間の種別とは異なるか否かを判断する（ステップＳ２０４）。
【００９６】
ステップＳ２０４の判断処理において、シーン区間の種別が異なると判断したときには、その種別に応じて再生音声の音量に対する利得を設定する（ステップＳ２０５）。すなわち、種別がＣＭ区間でない区間からＣＭ区間に入った場合には、音量を一定量下げるように音量に対する利得を設定し、ＣＭ区間から本編区間に入った場合には、音量を元に戻すようにするために一定量上げて音量に対する利得を設定する。
【００９７】
ステップＳ２０５の音量に対する利得の設定処理の後、音声と映像の再生が行われる（ステップＳ２０６）。この場合、ステップＳ２０５において設定された音量に対する利得に応じて、音量の調整が行われ、設定された音量に対する利得に応じて、音量が一定量下げられたり、あるいは、上がられたりすることになる。
【００９８】
また、ステップＳ２０４の判断処理において、シーン区間の種別が変わっていないと判断したときには、音量の調整を行う必要はないので、音量に対する利得の設定を維持し、ステップＳ２０６の処理を行う。この場合には、音量に対する利得の新たな設定は行われておらず、音量の調整は行われないので、再生音声の音量は維持される。
【００９９】
そして、ステップＳ２０６の処理の後、制御部４０は、再生処理は終了したか否かを判断する（ステップＳ２０７）。この場合、制御部４０は、再生終了を指示する操作入力を受け付けたか、あるいは、再生対象のコンテンツ信号の再生が終了した場合には、再生は終了したと判断し、そうでない場合には、再生は終了していないと判断する。
【０１００】
ステップＳ２０７の判断処理において、再生処理は終了していないと判断したときには、制御部４０は、再生箇所判定部３１、音量利得判定部３２などを制御して、ステップＳ２０２からの処理を繰り返すようにする。また、ステップＳ２０７の判断処理において、再生処理は終了したと判断したときには、この図５に示す処理を終了する。
【０１０１】
なお、この図５に示す処理においては、音量利得判定部３２が前回の再生箇所が属するシーン区間の種別を保持することにより、再生箇所が属するシーン区間の種別が変わったか否かを判断することができるようにしている。このため、図５に示す処理には図示しなかったが、図５に示す処理が実行される最初の段階において、前回の再生箇所が属するシーン区間の種別を保持するレジスタやワークメモリの対応領域を初期化する。
【０１０２】
これにより、目的とするテレビ放送番組のコンテンツ信号を、ＣＭ区間から録画するようにした場合には、区間の種別がＣＭ区間に変わったことを検出できるので、音量に対する利得を一定量下げるようにすることが可能となる。また、本編区間から録画するようにした場合には、音量に対する利得を上げる必要も下げる必要もないので、この場合には、音量に対する利得の設定を変更しないように制御することにより、どのような種別のシーン区間から再生を開始させた場合であっても、適正に再生音声の音量を調整することができる。
【０１０３】
なお、この第１の実施の形態においては、シーン変化点検出部１７１が、録画中に録画対象コンテンツを調査し、コンテンツの画面（映像）、あるいはコンテンツの音声の情報より、シーンの変化点を検出する変化点検出手段としての機能を実現する。また、シーン区間検出部１７２が、シーンの変化点に基づいて、シーン変化点によってはさまれたシーン区間を検出して特定する区間特定手段としての機能を実現する。また、区間種別検出部１７３が、検出された各シーン区間がどのようなシーン区間であるかを示す種別を検出する種別判別手段としての機能を実現する。また、区間情報保持部５３が、各シーン区間の位置とその種別を特定する情報を保持する区間情報保持手段としての機能を実現する。
【０１０４】
再生箇所判定部３１が、記録媒体に記録されたコンテンツ信号の再生時において、当該コンテンツ信号の再生箇所を判定する判定手段の機能を実現する。また、音量利得判定部３２が、再生箇所を含むシーン区間の音声信号の利得を判定する利得判定手段としての機能を実現する。また、音声処理部３６が、音量利得判定部３２からの情報に応じて、再生対象の音声信号の利得を調整する調整手段としての機能を実現する。
【０１０５】
［第１の実施の形態の変形例］
上述した第１の実施の形態においては、検出した各シーン区間のそれぞれについて、ＣＭ区間かそれ以外の区間かを検出するようにした。しかし、予約録画の時間を間違えて、放送自体の開始前から録画を開始してしまったり、あるいは、放送終了後においても録画を続行してしまったりする場合もあると考えられる。放送開始前や放送終了後であっても、録画を行うようにした場合には、ハードディスクレコーダは忠実に録画処理を行う。
【０１０６】
そして、放送番組の開始前や終了後においては、テレビ放送信号自体が存在しないので、いわゆる砂あらしなどと呼ばれるちらちらと細かく変化する画像と、「ザー」という音声とが録画されることになる。また、テレビ放送番組を提供する放送信号の送信前やテレビ放送信号の完全な送信停止前においては、いわゆるカラーパターン画像などの変化しない静止画像と「ピー」というテスト音が放送される場合もある。
【０１０７】
このように、ユーザーにとって意味のない画像や音声を録画してしまった場合に、その意味のない画像や音声の区間においても、再生音声の音量を低く抑えるようにできれば、ユーザーが音量の調整を行う操作を行う必要が無くなるので便利である。
【０１０８】
そこで、記録時において、例えば、シーン区間検出部１７において、無信号区間の検出手段や所定パターンの映像や音声が連続する所定パターン区間を検出する手段を設け、シーン区間として、無信号区間や所定パターン区間を検出して特定し、無信号区間や所定パターン区間の位置を示す情報とその種別を示す情報から区間情報データベースを形成できるようにする。
【０１０９】
無信号区間の検出は、一定レベル以上の受信信号が存在するか否かによって検出するようにすることもできるし、また、録画処理部１６からの信号が変化の無い信号か否かを検出することにより行うことができる。また、カラーパターン画像のような変化の無い画像の場合には、録画処理部１６からの信号が変化の無い信号か否かを検出するようにしたり、あるいは、画像パターンが既に決まったものとして知られている場合が多いので、そのパターンに合致する映像か否かを、例えば、１フレームの画像に付いて、あるいは、１フレームの画像の一部分に付いて、予め分かっている画像のパターンとのパターンマッチングしたりすることにより検出することが可能である。
【０１１０】
このような検出を行うことにより、無信号区間や所定パターン区間の検出と同時に、その区間の種別をも特定できるので、図３に示した形式の区間情報データベースを形成することができるようにされる。
【０１１１】
そして、再生時においては、再生箇所が無信号区間や所定パターン区間である場合には、再生音声レベルを一定量下げるように、再生音声の利得を設定することにより、ＣＭ区間において、再生音声レベルを低くするように自動的に制御した場合と同様にして、再生音声レベルの自動調整を行うことができる。
【０１１２】
なお、再生箇所が、無信号区間や所定パターン区間からＣＭ区間に移った場合には、既に再生音声レベルは低くされているので、さらに低くしないようにすることも可能であるし、より低くするように、あるいは、多少高くするようにするために、再生音声の利得の設定を行うようにすることも可能である。
【０１１３】
［第２の実施の形態］
次に、第２の実施の形態のハードディスクレコーダについて説明する。以下に説明する第２の実施の形態のハードディスクレコーダは、基本的には、図１に示した第１の実施の形態のハードディスクレコーダと同様の構成を有するものである。しかし、シーン区間処理部１７の構成が異なるものである。
【０１１４】
このため、ハードディスクレコーダの全体の構成については、第１の実施の形態のハードディスクレコーダについての説明と重複するため省略し、第１の実施の形態のハードディスクレコーダとは異なるシーン区間処理部１７の構成と動作、及び、再生時における再生音声の音量に対する利得の制御について詳細に説明する。なお、再生時における再生音声の音量に対する利得の制御についての説明においては、必要に応じて、図１に示したブロック図をも参照する。
【０１１５】
また、この第２の実施の形態のハードディスクレコーダが有するシーン区間処理部１７において、第１の実施の形態のハードディスクレコーダの図２に示したシーン区間処理部１７と同様に構成される部分には同じ参照符号を付し、その部分の説明については簡略化する。
【０１１６】
図６は、この第２の実施の形態のハードディスクレコーダのシーン区間処理部１７を説明するためのブロック図である。図６に示すように、この第２の実施の形態のハードディスクレコーダのシーン区間処理部１７は、シーン変化点検出部１７１、シーン区間検出部１７２、区間種別検出部１７３に加えて、音量代表値生成部１７４を備えたものである。  音量代表値生成部１７４は、この第２の実施の形態においては、ＣＭ区間内音量代表値生成部７４１と、ＣＭ区間外音量代表値生成部７４２とを備えるものである。
【０１１７】
そして、この第２の実施の形態のハードディスクレコーダのシーン区間処理部１７においては、第１の実施の形態のハードディスクレコーダのシーン区間処理部１７と同様に、シーン変化点検出部１７１の機能により、記録対象のコンテンツ信号におけるシーン変化点を検出し、このシーン変化点検出部１７１からの検出出力に基づいて、シーン区間検出部１７２が記録対象のコンテンツ信号におけるシーン区間を検出して特定し、シーン区間検出部１７２の検出出力に基づいて、区間種別検出部１７３が、特定された各シーン区間の種別を検出する。
【０１１８】
さらに、この第２の実施の形態のハードディスクレコーダのシーン区間処理部１７においては、シーン区間検出部１７２からの検出出力と、区間種別検出部１７３からの検出出力とに基づいて、音量代表値生成部１７４が各シーン区間毎の音量を代表する音量代表値を生成する。具体的には、ＣＭ区間内音量代表値生成部７４１が、ＣＭ区間についての音量代表値を生成し、ＣＭ区間外音量代表値生成部７４２が、ＣＭ区間以外の区間である本編区間についての音量代表値を生成する。
【０１１９】
すなわち、シーン区間検出部１７２において検出され特定された各シーン区間であって、区間種別検出部１７３においてＣＭ区間であると検出された区間については、ＣＭ区間内音量代表値生成部７４１が、そのＣＭ区間における音声の音量代表値を生成する。また、シーン区間検出部１７２において検出され特定された各シーン区間であって、区間種別検出部１７３においてＣＭ区間以外の区間であると検出された区間については、ＣＭ区間外音量代表値生成部７４２が、そのシーン区間における音声の音量代表値を生成する。
【０１２０】
ここで、音量代表値としては、例えば、各シーン区間の音量の平均値を用いる。したがって、各シーン区間において、所定のタイミング毎に、音量（音量の利得を示す値）を取得し、それらを順次に加算して音量の合計値を求め、この音量の合計値を音量の取得を行った回数で割り算することにより、そのシーン区間の音量代表値（音量平均値）を求めることができる。
【０１２１】
そして、シーン区間検出部１７の機能により検出したシーン区間、各シーン区間の種別、各シーン区間の音量代表値からなる区間情報データベースとして、音量代表値データを制御部４０に接続された区間情報保持部５３に形成する。
【０１２２】
図７は、この第２の実施の形態のハードディスクレコーダにおいて、シーン区間検出部１７の機能により、区間情報保持部５３に形成される音量代表値データベースについて説明するための図である。図７において、コンテンツＩＤ、シーン区間、区間種別のそれぞれは、第１の実施の形態のハードディスクレコーダにおいて形成される図３に示した区間情報データベースの対応する各情報と同様に形成されるものである。
【０１２３】
すなわち、コンテンツＩＤは、ＨＤＤ２１のハードディスクに記録されたコンテンツ信号を識別するためのものであり、コンテンツ信号の記録を行うようにする都度つけられるものである。シーン区間情報は、シーンの開始点、終了点とからなるものであり、シーン区間処理部１７のシーン区間検出部１７２において検出されたシーン区間の開始点、終了点が用いられる。この場合、各シーン区間の開始点、終了点は、上述もしたように、フレーム番号などにより一意に特定することができるものである。
【０１２４】
また、区間種別は、上述もしたように、シーン区間処理部１７の区間種別検出部１７３において検出された情報が用いられ、図７に示すように、検出された各シーン区間が、ＣＭ部分か本編部分かを区別することができるものである。
【０１２５】
そして、図７における音量代表値は、図６に示した音量代表値生成部１７４のＣＭ区間内音量代表値生成部７４１とＣＭ区間外音量代表値生成部７４２との機能により各区間毎に生成された音量代表値であり、この第２の実施の形態においては、各シーン区間の音声信号についての音量の利得の平均値である。
【０１２６】
このように、この第２の実施の形態のシーン区間処理部１７は、記録対象のコンテンツ信号について、シーン区間と、シーン区間の種別と、シーン区間の音量代表値とからなる音量代表値データベースを形成することができるものである。
【０１２７】
そして、この第２の実施の形態のハードディスクレコーダにおいても、ＨＤＤ２１のハードディスクに記録されたコンテンツ信号を再生する場合には、第１の実施の形態のハードディスクレコーダの場合と同様に、再生箇所判定部３１の機能により、再生対象のコンテンツ信号の再生箇所を判定し、音量利得判定部３２の機能により、区間情報保持部５３の格納情報を参照して、当該再生箇所が属するシーン区間に応じて、再生音声の利得を制御する。
【０１２８】
上述した第１のハードディスクレコーダにおいては、再生箇所が属するシーン区間の種別と、その直前のシーン区間の種別とを考慮して、再生音声の利得を制御する必要があるか否かを判断し、これに応じて、再生音声の利得を一定量下げたり、一定量上げたりすることにより、再生音声の音量を自動調整するようにした。
【０１２９】
しかし、再生対象のコンテンツ信号の内の音声信号の実際の音量に応じて、再生音声の音量を制御できるようにした方が、より自然に音量の自動調整を行うことが可能となる。そこで、この第２の実施の形態のハードディスクデコーダにおいては、再生箇所が属するシーン区間の種別と音量代表値と、そのシーン区間の前後のシーン区間の一方または両方のシーン区間の種別と音量代表値とに基づいて、再生音声の利得を制御するための制御信号を動的に算出することができるようにしている。
【０１３０】
図８は、この第２の実施の形態のハードディスクレコーダにおけるコンテンツ信号の再生時の再生音声の利得の制御について説明するための図である。図８Ａに示すような本編区間とＣＭ区間とからなるテレビ放送番組を、この第２の実施の形態のハードディスクレコーダを用いてテレビ放送番組をＨＤＤ２１のハードディスクに記録したとする。
【０１３１】
上述もしたように、この第２の実施の形態のハードディスクレコーダは、コンテンツ信号の記録時において、シーン区間処理部１７の機能により、本編区間とシーン区間の位置と長さが検出され特定される。コンテンツ信号の記録自体は、記録対象のコンテンツ信号を忠実に記録するように処理する。
【０１３２】
そして、図８Ｂに示すように、ＣＭ区間における音声信号の利得が、本編部分における音声信号の利得よりも高くなっていたとする。これを従来通り再生した場合には、本編区間よりもＣＭ区間の再生音声の利得が大きいので、ＣＭ区間の再生音声の音量パワーの方が大きくなってしまう。
【０１３３】
そこで、この第２の実施の形態のハードディスクレコーダにおいては、図８Ｃに示すように、再生箇所が本編区間からＣＭ区間に移った場合には、再生音声の音量パワーが本編区間の再生音声の音量パワーと同程度になるように、ＣＭ区間における再生音声の利得を低くするように制御する。これにより、実際に再生される再生音声のパワーは、図８Ｄに示すように、本編区間とＣＭ区間とで同じ程度のパワーとすることができるようにされる。
【０１３４】
また、ＣＭ区間から本編区間に再生箇所が移った場合には、再生音声の利得は、直前のＣＭ区間の音量代表値と再生箇所を含む本編区間の音量代表値とに基づいて、再生箇所を含む本編区間の音声信号についての利得が元の状態に戻すように制御される。これにより、ＣＭ区間から本編区間に再生箇所が移った場合であっても、ユーザーがいちいち音量を調整する必要もない。
【０１３５】
なお、ＣＭ区間の再生音声の利得の制御量の算出方法は、少なくとも、以下の３つの方法がある。（１）ＣＭ区間の直前の本編区間の音量代表値と当該ＣＭ区間の音量代表値とに基づいて、当該ＣＭ区間の再生音声の利得の調整量を求めるようにする。（２）ＣＭ区間の直後の本編区間の音量代表値と当該ＣＭ区間の音量代表値とに基づいて、当該ＣＭ区間の再生音声の利得の調整量を求めるようにする。（３）ＣＭ区間の直前の本編区間の音量代表値と、ＣＭ区間の直後の本編区間の音量代表値と、当該ＣＭ区間の音量代表値とに基づいて、当該ＣＭ区間の再生音声の利得の調整量を求めるようにする。
【０１３６】
（１）の方法を用いた場合、ＣＭ区間の再生を行った場合であっても、再生音声が大きくならないように制御することができるので、ＣＭ区間の再生が開始された場合であっても、確実にユーザーに違和感を与えないようにすることができる。また、（２）の方法を用いた場合には、ＣＭ区間の再生が開始された場合であっても、ユーザーに違和感を与えないようにすることが期待できると共に、ＣＭ区間の再生が終了し、本編区間の再生が再開された場合において、より自然に再生音声をユーザーに提供することができる。また、（３）の方法を用いた場合には、（１）の場合と同様に、ユーザーに違和感を与えないようにすることができると共に、ＣＭ区間の再生が終了し、本編区間の再生が再開された場合において、より自然に再生音声をユーザーに提供することができる。
【０１３７】
［記録時と再生時の動作（処理）のまとめ］
次に、上述したこの第２の実施の形態のハードディスクレコーダの記録時の動作と再生時の動作について図９、図１０のフローチャートを参照しながらまとめる。まず、記録時の動作についてまとめる。
【０１３８】
図９は、この第２の実施の形態のハードディスクレコーダの記録時（録画時）の動作を説明するためのフローチャートである。この図９に示す処理は、操作入力部５２またはリモコン６０を通じて、ユーザーからの記録（録画）処理を行うことを指示する操作入力を受け付けた場合、あるいは、いわゆる録画予約され、予約された時刻が到来した場合に、主に、シーン区間処理部１７の各部において行われる。
【０１３９】
記録開始の操作入力を受け付けると、あるいは、録画予約時刻が到来すると、制御部４０は、チューナ部１２、セレクタ１５、録画処理部１６、ドライブ制御部２０を制御して、受信アンテナ１１及びチューナ部１２を通じて受信選局したテレビ放送番組のコンテンツ信号、あるいは、外部入力端子１３、１４を通じて受け付けた外部機器からのコンテンツ信号のＨＤＤ２１のハードディスクへの記録（録画）処理を開始する（ステップＳ３０１）。
【０１４０】
そして、制御部４０は、シーン区間処理部１７を制御して、記録対処のコンテンツ信号について、各シーン区間を特定すると共に、各シーン区間の種別を検出して、区間情報データベースを形成する処理を行うようにする。すなわち、シーン区間処理部１７のシーン変化点検出部１７１は、制御部４０の制御に応じて、シーン変化点を検出する処理を開始する（ステップＳ３０２）。
【０１４１】
そして、シーン区間処理部１７のシーン区間検出部１７２は、シーン変化点検出部１７１からの検出結果に基づいて、シーン変化点を検出したか否かを判断し（ステップＳ３０３）、検出していないと判断したときには、シーン区間検出部１７２は、ステップＳ３０３からの処理を繰り返すようにする。
【０１４２】
ステップＳ３０３の判断処理において、シーン変化点を検出したと判断したときには、シーン区間検出部１７２は、シーン変化点は複数存在するか否かを判断し（ステップＳ３０４）、複数存在しないと判断したときには、シーン区間検出部１７２は、ステップＳ３０３からの処理を繰り返すようにする。
【０１４３】
ステップＳ３０４の判断処理において、シーン変化点が複数存在すると判断したときには、シーン区間検出部１７２は、シーン変化点によって挟まれた区間をシーン区間として検出する処理を行う（ステップＳ３０５）。そして、区間種別検出部１７３は、シーン区間検出部１７３からの検出結果に基づいて、区間種別を判別する（ステップＳ３０６）。
【０１４４】
そして、音量代表値生成部１７４のＣＭ区間内音量代表値生成部７４１がＣＭ区間の音量代表値を生成し、ＣＭ区間外音量代表値生成部７４２が本編区間の音量代表値を生成する（ステップＳ３０７）。この後、区間種別検出部１７３及び音量代表値生成部１７４は、検出結果を制御部４０を通じて、区間情報保持部５３に保存する（ステップＳ３０８）。このステップＳ３０８の処理により、図３に示した区間情報データベースが形成するようにされる。
【０１４５】
この後、制御部４０は、記録処理は終了したか否かを判断する（ステップＳ３０９）。この場合、制御部４０は、記録終了を指示する操作入力を受け付けたか、あるいは、録画予約における終了時刻が到来した場合には、記録は終了したと判断し、そうでない場合には、記録は終了していないと判断する。
【０１４６】
ステップＳ３０９の判断処理において、記録処理は終了していないと判断したときには、制御部４０は、シーン区間処理部１７を制御して、ステップＳ３０３からの処理を繰り返すようにする。また、ステップＳ３０９の判断処理において、記録処理は終了したと判断したときには、この図９に示す処理を終了する。
【０１４７】
このように、この第２の実施の形態のハードディスクレコーダは、コンテンツ信号のハードディスクへの記録と並行して、記録対象のコンテンツ信号について、図７に示した区間情報データベースとしての音量代表値データを区間情報保持部５２に形成することができるようにしている。
【０１４８】
次に、再生時の動作についてまとめる。図１０は、この第２の実施の形態のハードディスクレコーダの再生時の動作を説明するためのフローチャートである。この図１０に示す処理は、操作入力部５２またはリモコン６０を通じて、ユーザーからの再生処理を行うことを指示する操作入力を受け付けた場合に、主に、再生箇所判定部３１、音量利得判定部３２、音声処理部３６において行われる。
【０１４９】
再生開始の操作入力を受け付けると、制御部４０は、ドライブ制御部２０、判定箇所判定部３２、再生処理部３３、映像処理部３４、音声処理部３６を制御して、ＨＤＤ２１のハードディスクに記録されている目的とするコンテンツ信号を読み出して再生する処理を開始する（ステップＳ４０１）。
【０１５０】
そして、再生箇所判定部３１は制御部４０の制御により動作を開始し、ドライブ制御部２０によって、ＨＤＤ２１のハードディスクから読み出されたコンテンツ信号の供給を受けて、当該コンテンツ信号の再生箇所を判定し、その判定結果を音量利得判定部３２に通知する（ステップＳ４０２）。
【０１５１】
音量利得判定部３２は、再生箇所判定部３１からの再生箇所の判定結果に基づいて、当該再生箇所を含むシーン区間の種別と音量代表値と、当該区間の直前の区間と直後の区間の一方または両方の種別及び音量代表値を、制御部４０を通じて区間情報保持部５３から取得する（ステップＳ４０３）。そして、音量利得判定部３２は、再生箇所が属するシーン区間の種別が、前回の再生箇所が属するシーン区間の種別とは異なるか否かを判断する（ステップＳ４０４）。
【０１５２】
ステップＳ４０４の判断処理において、シーン区間の種別が異なると判断したときには、ステップＳ４０３において取得した音量代表値を用いて、再生音声の音量に対する利得を算出して設定する（ステップＳ４０５）。
【０１５３】
すなわち、ステップＳ４０５においては、種別がＣＭ区間でない区間からＣＭ区間に入った場合には、上述もしたように、当該ＣＭ区間の音量代表値と、当該ＣＭ区間の直前の本編区間と直後の本編区間との一方または両方の音量代表値を用いて、当該ＣＭ区間における再生音声の音量に対する利得を求め、図８Ｄに示したように、本編区間と同じレベルでＣＭ区間の音声を再生できるようにする。
【０１５４】
また、ステップＳ４０５においては、ＣＭ区間から本編区間に入った場合には、音量に対する利得を元に戻すように設定する。この場合においても、直前のＣＭ区間の音量代表値と、当該ＣＭ区間を挟む本編区間の一方または両方の音量代表値を用いて、再生箇所が属する本編区間の再生音声の音量に対する利得を算出するようにしてもよい。
【０１５５】
ステップＳ４０５の再生音声の音量に対する利得の設定処理の後、音声と映像の再生が行われる（ステップＳ４０６）。この場合、ステップＳ４０５において設定された音量に対する利得に応じて、音量の調整が行われ、設定された音量に対する利得に応じて、音量が下げられたり、あるいは、上がられたりすることになる。
【０１５６】
また、ステップＳ４０４の判断処理において、シーン区間の種別が変わっていないと判断したときには、音量の調整を行う必要はないので、音量に対する利得の設定を維持し、ステップＳ４０６の処理を行う。この場合には、音量に対する利得の新たな設定は行われておらず、音量の調整は行われないので、再生音声の音量は維持される。
【０１５７】
そして、ステップＳ４０６の処理の後、制御部４０は、再生処理は終了したか否かを判断する（ステップＳ４０７）。この場合、制御部４０は、再生終了を指示する操作入力を受け付けたか、あるいは、再生対象のコンテンツ信号の再生が終了した場合には、再生は終了したと判断し、そうでない場合には、再生は終了していないと判断する。
【０１５８】
ステップＳ４０７の判断処理において、再生処理は終了していないと判断したときには、制御部４０は、再生箇所判定部３１、音量利得判定部３２などを制御して、ステップＳ４０２からの処理を繰り返すようにする。また、ステップＳ４０７の判断処理において、再生処理は終了したと判断したときには、この図１０に示す処理を終了する。
【０１５９】
なお、この第１の実施の形態においては、ＣＭ区間内音量代表値生成部７４１とＣＭ区間外音量代表値生成部７４２とが、各区間の音量代表値を生成する代表値生成手段としての機能を実現し、区間情報保持部５３が、各シーン区間の位置とその種別と音量代表値のそれぞれを示す情報を保持する区間情報保持手段としての機能を実現する。
【０１６０】
また、音量利得判定部３２が、再生箇所を含むシーン区間の音声信号の利得を算出する利得判定手段としての機能を実現する。また、シーン変化点検出部１７１が、シーンの変化点を検出する変化点検出手段としての機能を実現し、シーン区間検出部１７２が、区間特定手段としての機能を実現し、区間種別検出部１７３が、種別判別手段としての機能を実現する点は、第１の実施の形態のハードディスクレコーダの場合と同様である。
【０１６１】
また、再生箇所判定部３１が、コンテンツ信号の再生箇所を判定する判定手段の機能を実現し、音声処理部３６が、音量利得判定部３２からの情報に応じて、再生対象の音声信号の利得を調整する調整手段としての機能を実現する点は、第１の実施の形態のハードディスクレコーダと同様である。
【０１６２】
［第２の実施の形態の変形例］
上述した第１の実施の形態の場合と同様に、予約録画の時間を間違えて、放送自体の開始前から録画を開始してしまったり、あるいは、放送終了後においても録画を続行してしまったりする場合もあると考えられる。放送開始前や放送終了後であっても、録画を行うようにした場合には、ハードディスクレコーダは忠実に録画処理を行う。
【０１６３】
そして、放送番組の開始前や終了後においては、テレビ放送信号自体が存在しないので、いわゆる砂あらしなどと呼ばれるちらちらと細かく変化する画像と、「ザー」という音声とが録画されることになる。また、テレビ放送番組を提供する放送信号の送信前やテレビ放送信号の完全な送信停止前においては、いわゆるカラーパターン画像などの変化しない静止画像と「ピー」というテスト音が放送される場合もある。
【０１６４】
そこで、第１の実施の形態のハードディスクレコーダの場合と同様に、記録時において、例えば、シーン区間検出部１７において、無信号区間の検出手段や所定パターンの映像や音声が連続する所定パターン区間を検出する手段を設け、シーン区間として、無信号区間や所定パターン区間を検出して特定し、無信号区間や所定パターン区間の位置を示す情報とその種別を示す情報から音量代表値データを形成できるようにしてもよい。
【０１６５】
そして、再生時においては、再生箇所が無信号区間や所定パターン区間である場合においても、再生音声の音量に対する利得を制御し、耳障りな再生音声の音量を自動的に小さくしたり、また、本編が再生され始めたときには、通常通りの利得で再生音声を再生したりするようにすることもできるようにされる。
【０１６６】
なお、再生箇所が、無信号区間や所定パターン区間からＣＭ区間に移った場合には、既に再生音声レベルは低くされているので、さらに低くしないようにすることも可能であるし、より低くするように、あるいは、多少高くするようにするために、再生音声の利得の設定を行うようにすることも可能である。
【０１６７】
［第３の実施の形態］
次に、この発明を、いわゆる追いかけ再生が可能なテレビ受信機などの再生装置に適用した場合について説明する。テレビ受信機の中には、比較的に大きなバッファメモリを備え、受信選局したテレビ放送信号をデジタル化して当該バッファメモリに書き込み、このバッファメモリに書き込まれたデジタル信号を順次に読み出して再生するものが提供されている。
【０１６８】
このような再生装置においては、テレビ放送番組を受信選局して再生し視聴している場合に、例えばトイレに立つなどした場合であっても、再生を一時停止するようにしておくことにより、再生自体を一時的に停止することができるが、当該テレビ放送信号の当該バッファメモリへの書き込み処理は中断することなく続行するようにされる。
【０１６９】
これにより、少なくとも当該バッファメモリの記憶容量分であれば、テレビ放送番組を当該バッファメモリに蓄えられ、再生を再開させることにより、一時停止時点から当該バッファメモリに蓄積されたデータを読み出して再生することにより視聴を一時停止した当該テレビ放送番組を途切れることなく視聴できるようにすることが可能となる。
【０１７０】
この第３の実施の形態の再生装置としてのテレビ受信機もまた比較的に大きな記憶容量を有するバッファメモリを備え、上述したようないわゆる追いかけ再生機能を提供することができるものである。図１１は、この第３の実施の形態のテレビ受信機を説明するためのブロック図である。
【０１７１】
図１１に示すように、この第３の実施の形態のテレビ受信機は、受信アンテナ１０１、チューナ部１０２、書き込み部１０３、バッファメモリ（以下、単にバッファという。１０４、読み出し部１０５、再生処理部１０６、映像処理部１０７、表示装置部との接続端１０８、音声処理部１０９、スピーカとの接続端１１０、シーン区間処理部１１１、再生箇所判定部１１２、音量利得判定部１１３、制御部１２０、時計回路１３１、区間情報保持部１３３、リモコン信号受光部１３４、リモコン１４０を備えたものである。
【０１７２】
制御部１２０は、この第３の実施の形態のテレビ受信機の各部を制御するものであり、ＣＰＵ１２１、ＲＯＭ１２２、ＲＡＭ１２３、ＥＥＰＲＯＭ１２４が、ＣＰＵバス１２５を通じて接続されて形成されたマイクロコンピュータの構成とされたものである。なお、制御部１２０に接続された時計回路１３１、操作入力部１３２、区間情報保持部１３３、リモコン信号受光部１３４、リモコン１４０のそれぞれは、図１に示したハードディスクレコーダにおいて、制御部４０に接続するようにされた時計回路５１、操作入力部５２、区間情報保持部５３、リモコン信号受光部５４、リモコン６０の内の対応する各部と同様に構成され、同様の機能を実現するものである。
【０１７３】
そして、受信アンテナ１０１を通じて受信された種々のテレビ放送信号は、チューナ部１０２に供給される。チューナ部１０２は、操作入力部１３２またはリモコン１４０を通じて受け付けるユーザーからの選局指示（操作入力）に応じた制御部１２０からの選局制御信号に基づいて、指示されたテレビ放送信号を選局し、選局したテレビ放送信号を復調すると共に、映像信号と音声信号とに分離し、これらを書き込み部１０３に供給する。書き込み部１０３は、制御部１２０により制御され、チューナ部からの映像信号と音声信号とをＡ／Ｄ変換して映像データと音声データとを形成し、これらを多重化してバッファ１０４に書き込むと共に、これらをシーン区間処理部１１１に供給する。
【０１７４】
シーン区間処理部１１１は、例えば、図２に示した第１の実施の形態のハードディスクレコーダのシーン区間処理部１７と同様の構成とすることにより、図３に示した区間情報データベースを制御部１２０に接続された区間情報保持部１３３に形成することができるようにされる。また、シーン区間処理部１１１は、図６に示した第２の実施の形態のハードディスクレコーダのシーン区間処理部１７と同様の構成とすることにより、図７に示した音量代表値データを制御部１２０に接続された区間情報保持部１３３に形成することができるようにされる。
【０１７５】
そして、読み出し部１０５は、制御部１２０により制御され、バッファ１０４に書き込まれた映像データと音声データとをファースト・イン・ファースト・アウト方式で読み出し、これらを再生処理部１０６と、再生箇所判定部１１２に供給する。再生処理部１０６は、制御部１２０により制御され、これに供給されたデータから映像データと音声データと分離し、そのそれぞれをＤ／Ａ変換してアナログ映像信号とアナログ音声信号を形成して、アナログ映像信号を映像処理部１０７に、アナログ音声信号を音声処理部１０９に供給する。
【０１７６】
映像処理部１０７は、これに供給されたアナログ映像信号から出力する形式のアナログ映像信号を形成し、これを映像出力端子３５を通じて出力して、映像モニタ装置に供給するようにする。この場合、映像処理部３４は、制御部４０からの制御に応じて、画質などについての調整を行うこともできるようにしている。
【０１７７】
また、音声処理部３６は、これに供給されたアナログ音声信号から出力する形式のアナログ音声信号を形成し、これを音声出力端子３７を通じて出力して、スピーカに供給するようにする。この場合、音声処理部３６は、制御部４０、または、利得判定部３２からの制御に応じて、再生音声の利得を制御し、再生音声の音声レベルを調整することもできるようにしている。
【０１７８】
また、再生箇所判定部１１２は、読み出し部１０５からの映像データ、音声データに基づいて、再生対象のコンテンツ信号における再生箇所を判定し、その判定結果を音量利得判定部１１３に供給する。音量利得判定部１１３は、再生箇所判定部１１２からの再生箇所の判定結果に基づいて、制御部１２０を通じて区間保持部１１３から必要な情報を取得して、音声処理部１０９に供給する再生音声の音量に対する利得を制御するための制御信号を形成し、これを音声処理部１０９に供給する。これにより、音声処理部１０９は、音量利得判定部１１３からの制御信号に応じて、再生音声の音量に対する利得を調整することがでるようにされる。
【０１７９】
そして、上述もしたように、シーン区間処理部１１１が、図２に示した第１の実施の形態のハードディスクレコーダと同様に構成されている場合には、制御部１２０に接続された区間情報保持部１３３には、図３に示した区間情報データベースが形成されるので、音量利得判定部１１３は、第１の実施の形態のハードディスクレコーダの音量利得判定部３２と同様に機能する。
【０１８０】
すなわち、この場合、音量利得判定部１１３は、前回の再生箇所が本編区間（本編のシーン区間）であり、今回の再生箇所がＣＭ区間であると判断したときには、再生箇所が、本編区間（本編のシーン区間）からＣＭ区間に入ったと判断し、再生音声の音量を一定量下げるように再生音声の利得を制御する制御信号を形成し、これを音声処理部１０９に供給する。
【０１８１】
また、音量利得判定部１１３は、前回の再生箇所がＣＭ区間であり、今回の再生箇所が本編区間であると判断したときには、再生箇所が、ＣＭ区間から本編区間に入ったと判断し、再生音声の音量を一定量上げるように再生音声の利得を制御する制御信号を形成し、これを音声処理部１０９に供給する。
【０１８２】
また、音量利得判定部１１３は、前回の再生箇所と今回の再生箇所との両方が、ＣＭ区間であるか、または、本編区間である場合には、再生箇所が種別の異なるシーン区間に移っていないと判断したときには、再生音量の音量はそのまま維持する。したがって、再生音声の利得については変更する必要はないので、利得制御のための制御信号は形成しないようにする。
【０１８３】
また、上述もしたように、シーン区間処理部１１１が、図６に示した第２の実施の形態のハードディスクレコーダと同様に構成されている場合には、制御部１２０に接続された区間情報保持部１３３には、図７に示した音量代表値データベースが形成されるので、音量利得判定部１１３は、第２の実施の形態のハードディスクレコーダの音量利得判定部３２と同様に機能する。
【０１８４】
すなわち、この場合、音量利得判定部１１３は、区間情報保持部１３３の音量代表値データベースに基づいて、再生箇所が本編区間からＣＭ区間に移ったと判断した場合には、再生音声の音量パワーが本編区間の再生音声の音量パワーと同程度になるように、ＣＭ区間における再生音声の利得を低くするように制御する。また、ＣＭ区間から本編区間に再生箇所が移ったと判断した場合には、再生音声の利得は、直前のＣＭ区間の音量代表値と再生箇所を含む本編区間の音量代表値とに基づいて、再生箇所を含む本編区間の音声信号についての利得が元の状態に戻すように制御する。
【０１８５】
この場合の再生音声の音量に対する利得の算出の方法は、上述もしたように、以下の（１）〜（３）のいずれかが用いられる。（１）ＣＭ区間の直前の本編区間の音量代表値と当該ＣＭ区間の音量代表値とに基づいて、当該ＣＭ区間の再生音声の利得の調整量を求めるようにする。（２）ＣＭ区間の直後の本編区間の音量代表値と当該ＣＭ区間の音量代表値とに基づいて、当該ＣＭ区間の再生音声の利得の調整量を求めるようにする。（３）ＣＭ区間の直前の本編区間の音量代表値と、ＣＭ区間の直後の本編区間の音量代表値と、当該ＣＭ区間の音量代表値とに基づいて、当該ＣＭ区間の再生音声の利得の調整量を求めるようにする。
【０１８６】
なお、バッファ１０４へのデータの書き込み時におけるシーン区間処理部１１１の動作は、シーン区間処理部１１１が図２に示した構成を有するときには、図４に示したフローチャートを用いて説明した動作と同様に動作し、また、シーン区間処理部１１１が図６に示した構成を有するときには、図９に示したフローチャートを用いて説明した動作と同様に動作する。
【０１８７】
また、バッファ１０４からのデータの読み出し時における再生箇所判定部１１２、音量利得判定部１１３の動作は、シーン区間処理部１１１が図２に示した構成を有し、図３に示した区間情報データベースを形成するときには、図５に示したフローチャートを用いて説明した動作と同様に動作し、また、シーン区間処理部１１１が図６に示した構成を有し、図７に示した音量代表値データベースを形成するときには、図１０に示したフローチャートを用いて説明した動作と同様に動作する。
【０１８８】
このように、追いかけ再生機能を有するテレビ受信機などの再生装置にもこの発明を適用することができる。また、テレビ受信機だけでなく、テレビ放送信号のチューナ装置にもこの発明を適用することができる。
【０１８９】
［第３の実施の形態の変形例］
再生装置としてのテレビ受信機においては、放送番組の開始前や終了後において電源を入れてしまう場合もある。放送番組の開始前や終了後においては、上述もしたように、テレビ放送信号自体が存在しないので、いわゆる砂あらしなどと呼ばれるちらちらと細かく変化する画像と、「ザー」という音声とが再生されることになる。また、テレビ放送番組を提供する放送信号の送信前やテレビ放送信号の完全な送信停止前においては、いわゆるカラーパターン画像などの変化しない静止画像と「ピー」というテスト音が放送される場合もある。
【０１９０】
そこで、上述した第１、第２の実施の形態の場合と同様に、バッファ１０４のテレビ放送信号の書き込み時（記録時）において、例えば、シーン区間検出部１１１において、無信号区間の検出手段や所定パターンの映像や音声が連続する所定パターン区間を検出する手段を設け、シーン区間として、無信号区間や所定パターン区間を検出して特定し、無信号区間や所定パターン区間の位置を示す情報とその種別を示す情報から区間情報データベースや音量代表値データベースを形成できるようにしてもよい。
【０１９１】
そして、バッファ１０４からのデータの読み出し時（再生時）においては、再生箇所が無信号区間や所定パターン区間である場合においても、再生音声の音量に対する利得を制御し、耳障りな再生音声の音量を自動的に小さくしたり、また、本編が再生され始めたときには、通常通りの利得で再生音声を再生したりするようにすることもできるようにされる。
【０１９２】
なお、再生箇所が、無信号区間や所定パターン区間からＣＭ区間に移った場合には、既に再生音声レベルは低くされているので、さらに低くしないようにすることも可能であるし、より低くするように、あるいは、多少高くするようにするために、再生音声の利得の設定を行うようにすることも可能である。
【０１９３】
なお、上述した実施の形態において、シーン区間検出部１７２においては、主に、シーン変化点にはさまれたという条件のみをもってシーン区間を検出するようにしたが、これに限るものではない。シーン変化点にはさまれたという条件に加えて、区間長が、特定の時間の倍数であるなどといった他の条件を加味して検出してもよい。
【０１９４】
また、上述した第２、第３の実施の形態においては、（１）〜（３）の方法を用いて、再生音声の音量に対する利得を調整するようにしたが、これに限るものではない。簡単には、まず、現在の再生箇所を判定し、再生箇所が所属するシーン区間がＣＭ区間内であるか、ＣＭ区間外であるかを判定する。次に、ＣＭ区間内の場合は、区間情報保持部の音量代表値データベースシーンを参照し、該当ＣＭ区間に対応する利得を取得する。取得した利得を音声処理部へ設定し、再生することにより、特定のシーン区間における音量の制御を行うことが可能である。
【０１９５】
また、ＣＭ区間、本編区間を通じて、再生対象のコンテンツ信号の全体としての再生音声の音量に対する利得を、直前の本編区間の音量に合わせるようにしたり、再生対象のコンテンツ信号の全体の再生音声を所定の範囲内の音量となるように制御したりすることも可能である。
【０１９６】
また、再生箇所検出部３１、１１２においては、例えば数フレームから数十フレーム毎などの所定のタイミングで再生箇所を検出できるようにしておけばよい。精度良くシーク間を検出したい場合には、再生箇所の検出タイミングを増やせばよいし、シーン変化の頻度に応じて、検出タイミングを設定するようにしてもよい。また、ＭＰＥＧ２などでデータ圧縮されたデータを対象とする場合には、例えば、ＧＯＰ（Group Of Picture）単位、すなわち、Ｉピクチャの発生タイミングである１５フレームに１回の割合で、再生箇所を検出するようにするなどのことも可能である。
【０１９７】
また、上述した第２の実施の形態においては、音量代表値として各シーン区間の音量の平均値を用いるようにしたが、これに限るものではない。例えば、各シーン区間において、音量の最大値を代表値としたり、所定のタイミング毎にサンプリングして得た音量の最も発生頻度の多い音量を音量の代表値したり、各信号の再生音声の最初に検出した音量を音量代表値とするなどしてももちろんよい。
【０１９８】
また、上述した実施の形態においては、テレビ放送信号はアナログ地上波放送のものであるとして説明したが、これに限るものではない。従来からのデジタル衛星放送や西暦２０１１年から本格開始されるデジタル地上波放送の放送信号を記録対象とする場合にも、この発明を適用することが可能である。
【０１９９】
デジタルテレビ放送の場合には、１チャンネル分のテレビ放送信号に、複数のテレビ放送番組を多重化して放送することができるが、その中で視聴したり、記録したりする放送番組が選択されれば、上述した第１〜第３の実施の形態において説明した場合と同様にして、図３に示した区間情報データベースや図７に示した音量代表値データベースを形成し、これを再生時に用いて、各シーン区間において、適正に再生音声の音量に対する利得を制御することができる。
【０２００】
また、図２に示したシーン区間処理部１７の各部の機能や、図６に示したシーン区間処理部１７の各部の機能、図１に示した再生箇所判定部３１、音量利得判定部３２の各機能、図１１に示したシーン区間処理ブ１１１の各部の機能、再生箇所判定部１１２、音量利得判定部１１３の機能は、制御部４０や制御部１２０などにおいて実行可能なプログラム（ソフトウェア）によって実現することも可能である。
【０２０１】
また、この発明を、パーソナルコンピュータ、ＤＶＤの記録再生装置、ＣＤやＭＤの記録再生装置、ビデオテープレコーダ等の種々の記録再生装置に適用することが可能であるし、この発明による再生装置は、上述もしたように、テレビ受信機やチューナなどに適用することができる。
【０２０２】
また、映像信号と音声信号との両方を扱うものではなく、映像信号と音声信号のいずれか一方のみを扱う記録再生装置や再生装置、例えば、ラジオチューナつきのハードディスクレコーダやＩＣレコーダ、ラジオチューナつきのＭＤレコーダ、ラジオチューナつきのテープレコーダなどに適用することもできる。音声信号のみを記録の対象とする場合には、無音区間の発生の周期などに基づいて、ＣＭ区間と本編区間とを検出して特定するようにすればよい。
【図面の簡単な説明】
【０２０３】
【図１】この発明の一実施の形態が適用されたハードディスクレコーダを説明するためのブロック図である。
【図２】第１の実施の形態のシーン区間処理部の構成例を説明するためのブロック図である
【図３】第１の実施の形態において区間情報保持部に形成される区間情報データベースを説明するための図である
【図４】第１の実施の形態の記録時の処理を説明するためのフローチャートである。
【図５】第１の実施の形態の再生時の処理を説明するためのフローチャートである。
【図６】第２の実施の形態のシーン区間処理部の構成例を説明するためのブロック図である。
【図７】第２の実施の形態において区間情報保持部に形成される音量代表値データベースを説明するための図である。
【図８】第２の実施の形態において、コンテンツ信号の再生時の再生音声の利得の制御について説明するための図である。
【図９】第２の実施の形態の記録時の処理を説明するためのフローチャートである。
【図１０】第２の実施の形態の再生時の処理を説明するためのフローチャートである。
【図１１】この発明の一実施の形態が適用された再生装置であるテレビ受信機を説明するためのブロック図である。
【符号の説明】
【０２０４】
１７…シーン区間処理部、１７１…シーン変化点検出部、１７２…シーン区間検出部、１７３…区間種別検出部、１７４…音量代表値生成部、７４１…ＣＭ区間内音量代表値生成部、７４２…ＣＭ区間外音量代表値生成部、３１…再生箇所判定部、３２…音量利得判定部、５３…区間情報保持部、１１１…シーン区間処理部、１１２…再生箇所判定部、１１３…音量利得判定部、１３３…区間情報保持部
【図１】
2007053510.tif 000003
【図２】
2007053510.tif 000004
【図３】
2007053510.tif 000005
【図４】
2007053510.tif 000006
【図５】
2007053510.tif 000007
【図６】
2007053510.tif 000008
【図７】
2007053510.tif 000009
【図８】
2007053510.tif 000010
【図９】
2007053510.tif 000011
【図１０】
2007053510.tif 000012
【図１１】
2007053510.tif 000013